(57)【要約】【課題】複数の面照明装置を含み、各面照明装置が発する光の光特性を個別に制御することのできる面照明システムを提供する。【解決手段】予め任意に選定される発光ユニットである基準ユニットと従属ユニットとに区分される複数の発光ユニットと、外部制御端末と、基準ユニットの点灯制御を行うシステム制御手段とを備え、基準ユニット、基準ユニットを親機とする子機である従属ユニット、または全ての従属ユニットは、外部制御端末が送信した光特性情報を受信する通信手段を備え、発光制御手段は、親機の発する光の光特性と子機となる従属ユニットが発する光の光特性との関係が、通信手段が外部制御端末から受信した光特性情報が示す所定の関係となるように、第１従属ユニット及び第２従属ユニットの発光を制御する。【選択図】図９Ｂ
2014002961.tif 000002
【特許請求の範囲】
【請求項１】
予め任意に選定される面発光ユニットである基準ユニットと、該基準ユニット以外の面発光ユニットである従属ユニットとに区分される複数の面発光ユニットと、
外部制御端末と、
前記基準ユニットに接続可能であり、前記基準ユニットの点灯制御を行うシステム制御手段とを備え、
前記従属ユニットは、
自身の発光ユニット以外の面発光ユニットの１つを親機とし、前記親機が前記基準ユニットである第１従属ユニットと、
前記親機が第Ｘ従属ユニットである第（Ｘ＋１）従属ユニット（Ｘは１以上の整数）からなり、
前記基準ユニット、前記基準ユニットを前記親機とする前記子機である前記従属ユニット、または全ての前記従属ユニットは、前記外部制御端末が送信し、親機となる面発光ユニットが発する光の光特性に対する子機となる従属ユニットが発する光の光特性の関係を示す光特性情報を受信する通信手段を備え、
各従属ユニットは、
前記親機となる面発光ユニットとの間に、前記親機が発する光の一部を自身の面発光ユニット内に導く光伝達手段と、
前記光伝達手段により導かれた光の光特性を検出する光検出手段と、
前記光検出手段が検出した前記親機となる面発光ユニットが発する光の光特性と、前記親機に対し子機となる従属ユニットが発する光の光特性との関係が、前記通信手段が前記外部制御端末から受信した前記光特性情報が示す所定の関係となるように、前記各従属ユニットの発光を制御する発光制御手段を含むことを特徴とする面照明システム。
【請求項２】
前記従属ユニットは、その親機となる面発光ユニットに隣接していることを特徴とする請求項１に記載の面照明システム。
【請求項３】
前記発光制御手段は、前記子機となる従属ユニットの輝度が、前記親機となる面発光ユニットの輝度に対して一定の比となるように調整することを特徴とする請求項１に記載の面照明システム。
【請求項４】
前記発光制御手段は、前記複数の面発光ユニットの複数の前記従属ユニットに所定の色パターンで点灯させることを特徴とする請求項１乃至３のいずれかに記載の面照明システム。
【請求項５】
前記外部制御端末は、前記通信手段に、すべての面発光ユニットを点灯させる制御信号を送信し、
前記複数の面発光ユニットは、前記制御信号に従って点灯し、
前記外部制御端末は、使用者の操作に従って当該外部制御端末に接続された撮像素子を制御し、全ての面発光ユニットの点灯状態を撮影することを特徴とする請求項１乃至４のいずれかに記載の面照明システム。
【請求項６】
前記外部制御端末は、使用者の操作に従って前記撮像素子で撮影した画像に基づいて、各面発光ユニットの位置、発光方向、および各発光ユニット間の間隔のうちの少なくとも１つとともに、各面発光ユニットの並びを認識する画像認識処理を行うことを特徴とする請求項５に記載の面照明システム。
【請求項７】
前記外部制御端末は、前記画像認識処理の前または後に、撮影時の撮影アングルの補正や撮像素子のレンズによる画像の歪み補正を行うことを特徴とする請求項６に記載の面照明システム。
【請求項８】
前記外部制御端末は、前記画像認識処理後の面発光ユニットをディスプレイにグラフィック表示することを特徴とする請求項６または請求項７に記載の面照明システム。
【請求項９】
前記外部制御端末は、面発光ユニットの配置や間隔を認識可能にグラフィック表示することを特徴とする請求項８に記載の面照明システム。
【請求項１０】
前記外部制御端末は、前記画像認識処理において、面発光ユニットごとに割り当てられた固有識別子またはシリアル番号を認識することを特徴とする請求項６乃至９のいずれかに記載の面照明システム。
【請求項１１】
前記外部制御端末は、前記通信手段に、各面発光ユニットに前記固有識別子または前記シリアル番号を点灯表示させる制御信号を送信して前記各面発光ユニットに前記固有識別子または前記シリアル番号を点灯表示させ、使用者の操作に従って撮影された前記固有識別子または前記シリアル番号が点灯表示された前記各面発光ユニットの画像に基づいて、前記各面発光ユニットの前記固有識別子または前記シリアル番号を認識することを特徴とする請求項１０に記載の面照明システム。
【請求項１２】
前記外部制御端末は、各面発光ユニットに前記固有識別子または前記シリアル番号を点灯表示させる制御信号を前記通信手段に送信するテストモードを実行することにより、前記固有識別子または前記シリアル番号を認識することを特徴とする請求項１１に記載の面照明システム。
【請求項１３】
前記外部制御端末は、前記画像認識処理結果にもとづいて、各面発光ユニットと前記固有識別子または前記シリアル番号との関連付けを行って各面発光ユニットを識別し、使用者の操作に従って、所定の面発光ユニットに情報を送信することを特徴とする請求項１０乃至１２のいずれかに記載の面照明システム。
【請求項１４】
前記外部制御端末は、前記画像認識処理結果にもとづいて、ディスプレイに表示された各面発光ユニットと前記固有識別子または前記シリアル番号との関連付けを行って各面発光ユニットを識別し、使用者の操作に従って、所定の面発光ユニットに情報を送信することを特徴とする請求項１０乃至１３のいずれかに記載の面照明システム。
【請求項１５】
前記各面発光ユニットのうち前記子機の前記発光制御手段は、前記親機と前記子機との関係が、前記外部制御端末から送信された前記情報のうち前記光特性情報が示す所定の関係になるように点灯制御を行うことを特徴とする請求項１３または請求項１４に記載の面照明システム。
【請求項１６】
前記各従属ユニットには予め固有識別子が設定され、
前記各従属ユニットは、前記通信手段を介して自身の固有識別子に対応する情報を受信した場合には、前記発光制御手段が、前記情報のうち前記光特性情報が示す所定の関係になるように点灯制御を行うことを特徴とする請求項１３乃至１５のいずれかに記載の面照明システム。
【請求項１７】
前記外部制御端末は、すべての面発光ユニットに情報を送信する情報送信手段を有することを特徴とする請求項１乃至１６のいずれかに記載の面照明システム。
【請求項１８】
前記外部制御端末は、前記基準ユニットに情報を送信する情報送信手段を有することを特徴とする請求項１乃至１６のいずれかに記載の面照明システム。
【請求項１９】
前記基準ユニットは、前記情報送信手段から送信された情報を隣接する面発光ユニットの前記光伝達手段を介して当該隣接する面発光ユニットに伝達することを特徴とする請求項１８に記載の面照明システム。
【請求項２０】
前記基準ユニットは、前記情報送信手段から送信された情報を、電源ラインを介して前記各従属ユニットに伝達することを特徴とする請求項１８に記載の面照明システム。
【請求項２１】
前記情報送信手段は、前記面発光ユニットごとに割り当てられた固有識別子またはシリアル番号と、前記光特性情報と、前記固有識別子または前記シリアル番号を点灯表示させるための制御信号とを送信することを特徴とする請求項１７乃至２０のいずれかに記載の面照明システム。
【請求項２２】
前記情報送信手段は、無線通信、有線通信、光通信、赤外線通信、または電力線通信で情報を送信することを特徴とする請求項１７乃至２１のいずれかに記載の面照明システム。
【請求項２３】
前記基準ユニットは前記情報送信手段から受け取った情報で変調した光を発して、隣接する他の面発光ユニットに前記情報を伝達することを特徴とする請求項１７乃至２２のいずれかに記載の面照明システム。
【請求項２４】
前記他の面発光ユニットの発光制御手段は、前記光を復調して前記情報を取り出すとともに、前記情報で変調した光を発して、隣接するさらに他の面発光ユニットに前記情報を伝達することを特徴とする請求項２３に記載の面照明システム。
【請求項２５】
前記面発光ユニットは、それぞれ照度センサを有することを特徴とする請求項１乃至２４のいずれかに記載の面照明システム。
【請求項２６】
前記発光制御手段は、前記照度センサの測定結果に応じて点灯輝度および照度を制御し、
前記外部制御端末は、前記照度センサの測定結果に応じて、前記親機となる面発光ユニットが発する光の光特性に対する前記子機となる面発光ユニットが発する光の光特性の関係を示す光特性情報を送信することを特徴とする請求項２５に記載の面照明システム。
【請求項２７】
前記外部制御端末は、撮像素子、情報送信手段、ディスプレイおよびキー入力装置のうち少なくとも１つ以上を接続できる構造となっていることを特徴とする請求項１乃至２６のいずれかに記載の面照明システム。
【請求項２８】
前記外部制御端末は撮像素子を内蔵していることを特徴とする請求項１乃至２７のいずれかに記載の面照明システム。
【請求項２９】
前記外部制御端末はディスプレイを内蔵していることを特徴とする請求項１乃至２８のいずれかに記載の面照明システム。
【発明の詳細な説明】
【技術分野】
【０００１】
本発明は、面照明システムに係り、詳しくは複数の面照明装置から構成される面照明システムに関するものである。
【背景技術】
【０００２】
照明装置の多様化によって、色温度や発光色を変更することができる照明装置や、面発光照明装置等が開発されている。このような照明装置を複数台使用して照明システムを構成することにより、例えば比較的広い部屋の照明が可能となるほか、様々な点灯パターンを得ることも可能となる。
【０００３】
特に近年、ＬＥＤや有機ＥＬ素子等から構成される半導体照明装置が開発されており、輝度や発光色を自由に変化させることの可能な照明装置が製品化されている。このような照明装置を使用して、照明装置の発する光の色や輝度に基づいて他の照明装置の点灯を制御する照明システムも開発されている。具体的には、照明装置間を電気的な配線により接続する構成や（特許文献１）、照明ユニットに取り付けられたＲＦＩＤを使用して無線で照明ユニットを制御する構成が開示されている（特許文献２）。
【０００４】
本願の出願人と同一出願人による特願２０１１−２７３６１２号の明細書には、複数の面発光ユニットによる面照明システムにおいて、隣接する面発光ユニットが発した光に基づいて、各面発光ユニットが発する光の光特性を制御する構成が開示されている。
【先行技術文献】
【特許文献】
【０００５】
【特許文献１】国際公開第１９９９／０３１５６０号
【特許文献２】特表２０１０−５０３１６８号公報
【発明の概要】
【発明が解決しようとする課題】
【０００６】
照明装置の発光素子にＬＥＤや有機ＥＬ素子等を使用している場合、このような照明装置には複数色、例えば３色以上の発光素子が複数配置されて構成されている。このような照明装置を使用した照明システムでは発光素子の発光色を制御する必要があるが、複数色の発光素子を使用することから発光色の自由度が増え、制御の複雑さが増してしまう。さらに、デジタル信号といった電気信号で発光色などの指示を各照明装置に個別に供給して照明システムを制御する場合には、複数の制御線を使用するか、または複雑なプロトコルを使用して通信制御を行う必要があるため、配線や制御が複雑になるという問題もある。特に面照明装置の場合、発光素子毎の小さな光特性の違いが目立ちやすいため、これを制御することが重要となる。
【０００７】
これらの点に関し、上記特許文献１では、点灯情報を伝達するデジタルデータ用の配線だけでなく通信制御信号用の電力供給回路、送受信信号レベルの調整回路等を含んで照明システムが構成されるので、配線が一層複雑になるという点で課題が残っている。また、上記特許文献１及び２では、通信プロトコルを使用して照明機器の制御を行うため、専用の通信用プロセッサが必要となり、高度な制御を行うことができるものの構成が複雑になり、コストが増大するという点で依然として課題が残っている。
【０００８】
また、特願２０１１−２７３６１２号の明細書に開示されている構成において、各面発光ユニットが発する光の光特性を個別に制御可能であることが好ましい。
【０００９】
本発明は、上述した課題を解決すべくなされたものであり、その目的とするところは、簡単な構成にして複数の面照明装置の発光を容易に制御することができるとともに、各面照明装置の発光を個別に制御することができる面照明システム及び面照明システムの制御方法を提供することにある。
【課題を解決するための手段】
【００１０】
上記の目的を達成するべく、本発明の面照明システムは、予め任意に選定される面発光ユニットである基準ユニットと、該基準ユニット以外の面発光ユニットである従属ユニットとに区分される複数の面発光ユニットと、外部制御端末と、前記基準ユニットに接続可能であり、前記基準ユニットの点灯制御を行うシステム制御手段とを備え、前記従属ユニットは、自身の発光ユニット以外の面発光ユニットの１つを親機とし、前記親機が前記基準ユニットである第１従属ユニットと、前記親機が第Ｘ従属ユニットである第（Ｘ＋１）従属ユニット（Ｘは１以上の整数）からなり、前記基準ユニット、前記基準ユニットを前記親機とする前記子機である前記従属ユニット、または全ての前記従属ユニットは、前記外部制御端末が送信し、親機となる面発光ユニットが発する光の光特性に対する子機となる従属ユニットが発する光の光特性の関係を示す光特性情報を受信する通信手段を備え、各従属ユニットは、前記親機となる面発光ユニットとの間に、前記親機が発する光の一部を自身の面発光ユニット内に導く光伝達手段と、前記光伝達手段により導かれた光の光特性を検出する光検出手段と、前記光検出手段が検出した前記親機となる面発光ユニットが発する光の光特性と、前記親機に対し子機となる従属ユニットが発する光の光特性との関係が、前記通信手段が前記外部制御端末から受信した前記光特性情報が示す所定の関係となるように、前記各従属ユニットの発光を制御する発光制御手段を含むことを特徴とする。
【００１１】
このような構成にすることにより、従属ユニットの発する光の光特性は、当該従属ユニットの親機となる面発光ユニットの発する光の光特性に基づいて調整される。即ち、基準ユニットが発する光の光特性を変更すると、当該基準ユニットを親機とする第１従属ユニットが発する光の光特性が変更され、第１従属ユニットが発する光の光特性の変更により、当該第１従属ユニットを親機とする第２従属ユニットが発する光の光特性が変更される。そして、第２従属ユニットが発する光の光特性の変更により、当該第２従属ユニットを親機とする第３従属ユニットが発する光の光特性が変更される。このように、基準ユニットの発する光の光特性の変更に従って、従属ユニットの発する光の光特性も順次調整される。ここで、従属ユニットは、親機となる面発光ユニットとの間に、親機となる面発光ユニットが発する光の一部を自らの光検出手段に導く光伝達手段を備えており、従属ユニットは親機となる面発光ユニットに隣接しているのが好ましい。
【００１２】
また、通信手段が、外部制御端末によって送信された光特性情報を受信し、親機となる面発光ユニットが発する光の光特性と、親機に対し子機となる従属ユニットが発する光の光特性との関係が当該光特性情報が示す所定の関係になるように、発光制御手段が各従属ユニットの発光を制御するので、各従属ユニットが発する光の光特性を個別に変更することができる。
【００１３】
前記従属ユニットは、その親機となる面発光ユニットに隣接しているように構成されていてもよい。
【００１４】
前記発光制御手段は、前記子機となる従属ユニットの輝度が、前記親機となる面発光ユニットの輝度に対して一定の比となるように調整するように構成されていてもよい。そのような構成によれば、通信手段が受信した光特性情報に基づいて、子機となる従属ユニットの輝度と親機となる従属ユニットの輝度とが一定の比となるように調整することができる。
【００１５】
前記発光制御手段は、前記複数の面発光ユニットの複数の前記従属ユニットに所定の色パターンで点灯させるようにしてもよい。
【００１６】
前記外部制御端末は、前記通信手段に、すべての面発光ユニットを点灯させる制御信号を送信し、前記複数の面発光ユニットは、前記制御信号に従って点灯し、前記外部制御端末は、使用者の操作に従って当該外部制御端末に接続された撮像素子を制御し、全ての面発光ユニットの点灯状態を撮影するように構成されていてもよい。そのような構成によれば、外部制御端末が、全ての発光ユニットの点灯状態の撮影結果に基づいて画像認識を行い、各発光ユニットを識別して認識することが可能になる。
【００１７】
前記外部制御端末は、使用者の操作に従って前記撮像素子で撮影した画像に基づいて、各面発光ユニットの位置、発光方向、および各発光ユニット間の間隔のうちの少なくとも１つとともに、各面発光ユニットの並びを認識する画像認識処理を行うことが好ましい。そのように構成することによって、外部制御端末は、前記外部制御端末は、使用者の操作に従って前記撮像素子で撮影した画像に基づいて、各面発光ユニットの位置、発光方向、および各発光ユニット間の間隔のうちの少なくとも１つとともに、各面発光ユニットの並びを認識することができる。そして、それら認識結果を画面表示することによって、ユーザによる各面発光ユニットに対する指示操作を容易化することができる。
【００１８】
前記外部制御端末は、前記画像認識処理の前または後に、撮影時の撮影アングルの補正や撮像素子のレンズによる画像の歪み補正を行うことが好ましい。
【００１９】
前記外部制御端末は、前記画像認識処理後の面発光ユニットをディスプレイにグラフィック表示することが好ましい。そのように構成することによって、ユーザによる各面発光ユニットに対する指示操作を容易化することができる。
【００２０】
前記外部制御端末は、面発光ユニットの配置や間隔を認識可能にグラフィック表示することが好ましい。そのように構成することによって、ユーザによる各面発光ユニットに対する指示操作を容易化することができる。
【００２１】
前記外部制御端末は、前記画像認識処理において、面発光ユニットごとに割り当てられた固有識別子またはシリアル番号を認識するようにしてもよい。
【００２２】
前記外部制御端末は、前記通信手段に、各面発光ユニットに前記固有識別子または前記シリアル番号を点灯表示させる制御信号を送信して前記各面発光ユニットに前記固有識別子または前記シリアル番号を点灯表示させ、使用者の操作に従って撮影された前記固有識別子または前記シリアル番号が点灯表示された前記各面発光ユニットの画像に基づいて、前記各面発光ユニットの前記固有識別子または前記シリアル番号を認識するようにしてもよい。
【００２３】
前記外部制御端末は、各面発光ユニットに前記固有識別子または前記シリアル番号を点灯表示させる制御信号を前記通信手段に送信するテストモードを実行することにより、前記固有識別子または前記シリアル番号を認識するようにしてもよい。
【００２４】
前記外部制御端末は、前記画像認識処理結果にもとづいて、各面発光ユニットと前記固有識別子または前記シリアル番号との関連付けを行って各面発光ユニットを識別し、使用者の操作に従って、所定の面発光ユニットに情報を送信してもよい。
【００２５】
前記外部制御端末は、前記画像認識処理結果にもとづいて、ディスプレイに表示された各面発光ユニットと前記固有識別子または前記シリアル番号との関連付けを行って各面発光ユニットを識別し、使用者の操作に従って、所定の面発光ユニットに情報を送信してもよい。そのように構成することによって、ユーザによる各面発光ユニットに対する指示操作を容易化することができる。
【００２６】
前記各面発光ユニットのうち前記子機の前記発光制御手段は、前記親機と前記子機との関係が、前記外部制御端末から送信された前記情報のうち前記光特性情報が示す所定の関係になるように点灯制御を行ってもよい。
【００２７】
前記各従属ユニットには予め固有識別子が設定され、前記各従属ユニットは、前記通信手段を介して自身の固有識別子に対応する情報を受信した場合には、前記発光制御手段が、前記情報のうち前記光特性情報が示す所定の関係になるように点灯制御を行ってもよい。
【００２８】
前記外部制御端末は、すべての面発光ユニットに情報を送信する情報送信手段を有していてもよいし、前記基準ユニットに情報を送信する情報送信手段を有していてもよい。
【００２９】
前記基準ユニットは、前記情報送信手段から送信された情報を隣接する面発光ユニットの前記光伝達手段を介して当該隣接する面発光ユニットに伝達してもよいし、電源ラインを介して前記各従属ユニットに伝達してもよい。
【００３０】
前記情報送信手段は、前記面発光ユニットごとに割り当てられた固有識別子またはシリアル番号と、前記光特性情報と、前記固有識別子または前記シリアル番号を点灯表示させるための制御信号とを送信してもよい。
【００３１】
前記情報送信手段は、無線通信、有線通信、光通信、赤外線通信、または電力線通信で情報を送信してもよい。
【００３２】
前記基準ユニットは前記情報送信手段から受け取った情報で変調した光を発して、隣接する他の面発光ユニットに前記情報を伝達してもよい。
【００３３】
前記他の面発光ユニットの発光制御手段は、前記光を復調して前記情報を取り出すとともに、前記情報で変調した光を発して、隣接するさらに他の面発光ユニットに前記情報を伝達してもよい。
【００３４】
前記面発光ユニットは、それぞれ照度センサを有してもよく、前記発光制御手段は、前記照度センサの測定結果に応じて点灯輝度および照度を制御し、前記外部制御端末は、前記照度センサの測定結果に応じて、前記親機となる面発光ユニットが発する光の光特性に対する前記子機となる面発光ユニットが発する光の光特性の関係を示す光特性情報を送信するように構成されていてもよい。そのような構成によれば、各面発光ユニットの周囲の照度に応じて各面発光ユニットが発する光の光特性を異ならせることが可能になる。
【００３５】
前記外部制御端末は、撮像素子、情報送信手段、ディスプレイおよびキー入力装置のうち少なくとも１つ以上を接続できる構造となっていてもよい。
【００３６】
前記外部制御端末は撮像素子を内蔵していることが好ましい。また、前記外部制御端末はディスプレイを内蔵していることが好ましい。
【発明の効果】
【００３７】
本発明の面照明システムによれば、従属ユニットの発する光の光特性は、当該従属ユニットの親機となる面発光ユニットの発する光の光特性に基づいて調整される。このとき、光検出手段が検出した親機となる面発光ユニットが発する光の光特性と子機となる従属ユニットが発する光の光特性との関係が所定の関係となるように制御されるので、簡単な構成で従属ユニットの発する光の光特性を容易に制御することができる。
【００３８】
また、通信手段が、外部制御端末によって送信された光特性情報を受信し、親機となる面発光ユニットが発する光の光特性と、親機に対し子機となる従属ユニットが発する光の光特性との関係が当該光特性情報が示す所定の関係になるように、発光制御手段が各従属ユニットの発光を制御するので、各従属ユニットが発する光の光特性を個別に変更することができる。
【図面の簡単な説明】
【００３９】
【図１】本発明の第１実施例に係る面照明システムの概略構成を示す斜視図である。
【図２】図１に示す面照明装置の発光面から見た部分拡大図である。
【図３】図２のIII−III線に沿う断面図である。
【図４】図２のVI−VI線に沿う断面図である。
【図５】図１に示す面照明システムを模式的に表した平面図である。
【図６】第１実施例の基準ユニットの構成例を示すブロック図である。
【図７】基準ユニットがテスト情報を送信したとき、および各従属ユニットがテスト情報を受信したときに、基準ユニットおよび各従属ユニットにおいて行われる点灯表示の例を示すタイミングチャートである。
【図８】基準ユニットがテスト情報を送信したとき、および各従属ユニットがテスト情報を受信したときに、基準ユニットおよび各従属ユニットにおいて行われる点灯表示の他の例を示すタイミングチャートである。
【図９Ａ】外部制御端末の構成例を示すブロック図である。
【図９Ｂ】外部制御端末による撮影状態を示す説明図である。
【図９Ｃ】外部制御端末の前面図である。
【図１０】第１実施例の従属ユニットの構成例を示すブロック図である。
【図１１】第１実施例における基準ユニットと従属ユニットとの接続例を示すブロック図である。
【図１２】第１実施例における基準ユニットの発光制御を示すフローチャートである。
【図１３】第１実施例において親機である基準ユニットに隣接する子機となる従属ユニットの発光制御を示すフローチャートである。
【図１４】第１実施例において親機となる従属ユニットが発する光に基づいて、子機となる従属ユニットの発する光を制御するフローチャートである。
【図１５】第１変形例の基準ユニットと従属ユニットとの構成例を示すブロック図である。
【図１６】第１変形例における基準ユニットと従属ユニットとの接続例を示すブロック図である。
【図１７】第１変形例における基準ユニットの発光制御を示すフローチャートである。
【図１８】第１変形例において親機である基準ユニットに隣接する子機となる従属ユニットの発光制御を示すフローチャートである。
【図１９】第１変形例において親機となる従属ユニットが発する光に基づいて、子機となる従属ユニットの発する光を制御するフローチャートである。
【図２０】第２変形例の基準ユニットの構成例を示すブロック図である。
【図２１】第２変形例の従属ユニットの構成例を示すブロック図である。
【図２２】第２変形例における基準ユニットと従属ユニットとの接続例を示すブロック図である。
【図２３】基準ユニットがパターン情報を送信または受信したとき、および各従属ユニットがパターン情報を送信または受信したときに、基準ユニットおよび各従属ユニットにおいて行われる点灯表示の例を示すタイミングチャートである。
【図２４】第２変形例における基準ユニットの発光制御を示すフローチャートである。
【図２５】第２変形例において親機である基準ユニットに隣接する子機となる従属ユニットの発光制御を示すフローチャートである。
【図２６】第２変形例において親機となる従属ユニットが発する光に基づいて、子機となる従属ユニットの発する光を制御するフローチャートである。
【図２７】第３変形例の基準ユニットと従属ユニットとの構成例を示すブロック図である。
【図２８】第３変形例における基準ユニットと従属ユニットとの接続例を示すブロック図である。
【図２９】第３変形例における基準ユニット発光制御を示すフローチャートである。
【図３０】第３変形例において親機である基準ユニットに隣接する子機となる従属ユニット２Ｓ12の発光制御を示すフローチャートである。
【図３１】第３変形例において親機となる従属ユニットが発する光に基づいて、子機となる従属ユニットの発する光を制御するフローチャートである。
【図３２】図１に示す第１実施例の面照明システムの第４変形例を模式的に表した平面図である。
【図３３】第１実施例の他の変形例に係る面照明システムにおける、基準ユニットを親機とした従属ユニットの制御を示すフローチャートである。
【図３４】第１実施例の他の変形例に係る面照明システムにおける、隣接する従属ユニットを親機とする従属ユニットの制御を示すフローチャートである。
【図３５】第１実施例の他の変形例を示す面照明システムを模式的に表した平面図である。
【図３６】本発明の第２実施例に係る面照明システムにおける、図２のVI−VI線に沿う断面図である。
【図３７】本発明の第３実施例に係る面照明システムの概略構成を示す斜視図である。
【図３８】本発明の第３実施例に係る面照明システムにおける、図２のVI−VI線に沿う断面図である。
【図３９】本発明の第３実施例の変形例に係る面照明システムにおける、図２のVI−VI線に沿う断面図である。
【発明を実施するための形態】
【００４０】
以下、本発明の実施形態について、いくつかの実施例に基づいて図面を参照しながら詳細に説明する。なお、本発明は以下に記載する内容に限定されるものではなく、本発明の要旨を逸脱しない範囲において任意に変更して実施することが可能である。また、以下の説明に用いる図面は、何れも本発明に係る面照明システム等を模式的に示すものであって、理解を深めるべく部分的な強調、拡大、縮小、または省略などを行っている場合があり、各構成部材の縮尺や形状等を正確に表すものとはなっていないことがある。さらに、以下の説明で用いる様々な数値は、いずれも一例を示すものであり、必要に応じて様々に変更することが可能である。
【００４１】
＜第１実施例＞
図１は、本発明の第１実施例に係る面照明システム１の概略構成を示す斜視図である。図１に示すように、面照明システム１は、複数の面照明装置（発光ユニット）２が所定の間隔に並べられて構成されている。各面照明装置２は、予め組み合わせが定められた隣接する２つの面照明装置２毎に、一方の面照明装置２が親機、他方の面照明装置２が子機の関係にある。また、１つの組み合わせで子機となる面照明装置２は、別の組み合わせ、即ちもう１つ別の隣接する面照明装置２との組み合わせにおいて親機となることがある。なお、このような親機と子機のとの組み合わせについては、後に詳しく説明する。
【００４２】
面照明装置２は後述するような発光光源を備え、発光面４から外部へ光を放射する。親機と子機との関係をもって隣接する２つの面照明装置２のそれぞれ対向する側面部６には貫通孔８が対向して穿設されており、後述するように、この貫通孔８を介して、隣接する２つの面照明装置２間で親機となる一方の面照明装置２の発する光の一部が、子機となる他方の面照明装置２に入射する。
【００４３】
面照明装置２の発光面４側から見た面照明システム１の一部を模式図として図２に示す。面照明装置２には、図２中に破線で示すように発光光源として細長く形成された複数の有機ＥＬ素子１２が互いに平行に設けられている。有機ＥＬ素子１２が配置されていない発光面４の領域、つまり各面照明装置２の周縁部は未発光領域Ａとなる。
【００４４】
（面照明装置の全体構成）
図３は、図２中の面照明装置２のIII−III線に沿う断面図である。図３に示すように、基板１０上には、有機ＥＬ素子１２に水分や酸素の吸着を防止する封止カバー１４が接合されている。また、基板１０の有機ＥＬ素子１２が配置されている面とは反対側の面には、基板１０を保護する保護板１６が延設されている。保護板１６の全周には、断面がＬ字状の枠部材１８が設けられている。枠部材１８には、有機ＥＬ素子１２が発した光の一部が基板１０や保護板１６から外方に放射されずに枠部材１８に達した光が、枠部材１８において発光面４側から外方に放射されるように反射板２０が配置されている。枠部材１８と反射板２０とで形成される中空部分には、図示しないが有機ＥＬ素子１２へ給電するための配線や制御線等が収納されている。そして、基板１０が枠部材１８に接着固定され、枠部材１８がカバー２２に接着固定されている。
【００４５】
次に、面照明装置２の各構成部分において詳細に説明する。
【００４６】
（基板）
本実施例において基板１０は、ガラス製で板状の透明基板である。なお、基板１０には金属板やセラミックス、プラスチックフィルム等が用いられてもよい。特に、本実施例で使用するガラス製の透明基板や、ポリエステル、ポリメタクリレート、ポリカーボネート、またはポリスルホン等の透明な樹脂基板が望ましい。また、基板１０には、各有機ＥＬ素子１２に給電するための配線が形成されている。
【００４７】
（有機ＥＬ素子）
本実施例において基板１０上には、発光色の異なる複数の有機ＥＬ素子１２が配置される。例えば、本実施例では発光色を赤色、緑色、及び青色とし、これらの発光色に対応し、有機ＥＬ素子１２の符号を区別して用いる。即ち、発光色が赤色の有機ＥＬ素子１２Ｒ、発光色が緑色の有機ＥＬ素子１２Ｇ、及び発光色が青色の有機ＥＬ素子１２Ｂがこの記載の順に平行に等間隔で繰り返し基板１０上に配置される。このように配置された有機ＥＬ素子１２Ｒ、１２Ｇ、１２Ｂが発した赤色、緑色、青色のそれぞれの光が合成され、発光面４から照射される合成光は白色光となる。
【００４８】
図示しないが、本実施例において有機ＥＬ素子１２は、基板１０上に、陽極、電荷輸送層、発光層、及び陰極をこの順に積層されて構成される。上記発光層に使用される発光材料として以下が挙げられる。
【００４９】
青色発光を与える発光材料としては、例えば、ナフタレン、ペリレン、ピレン、アントラセン、クマリン、ｐ−ビス（２−フェニルエテニル）ベンゼン及びそれらの誘導体等が挙げられる。緑色発光を与える発光材料としては、例えば、キナクリドン誘導体、クマリン誘導体、Ａｌ（Ｃ9Ｈ6ＮＯ）3等のアルミニウム錯体等が挙げられる。そして、赤色発光を与える発光材料としては、例えば、ＤＣＭ（４−（ｄｉｃｙａｎｏｍｅｔｈｙｌｅｎｅ）−２−ｍｅｔｈｙｌ−６−（ｐ−ｄｉｍｅｔｈｙｌａｍｉｎｏｓｔｙｒｙｌ）−４Ｈ−ｐｙｒａｎ）系化合物、ベンゾピラン誘導体、ローダミン誘導体、ベンゾチオキサンテン誘導体、アザベンゾチオキサンテン等が挙げられる。なお、このような発光材料は、いずれか１種類のみを用いてもよく、２種類以上を任意の組み合わせ及び比率で併用してもよい。
【００５０】
なお、発光色の種類は上述した色に限られず、面照明装置２に求められる発光色に応じ、適宜選択すればよい。また、面照明装置２から合成光として白色光を得る場合でも、上記組み合わせの他に、例えば、青色光と黄色光、赤色光と青緑色光（シアン色光）、或いは緑色光と赤紫色光（マゼンダ色光）等の組み合わせを採用してもよい。
【００５１】
また、有機ＥＬ素子１２の形状は上述した形状に限られず、適宜変更可能であり、例えば、小さな正方形状に形成して基板１０にマトリクス状に配置するようにしてもよい。
【００５２】
（封止カバー）
本実施例において、封止カバー１４は、水分透過性及び酸素透過性の低い材料から形成される。例えば、ガラスやセラミック等の無機材料、ステンレス、鉄、アルミニウム等の金属材料、ポリエチレンテレフタレートやポリエチレンナフタレート等のポリエステルやポリスチレン、またはポリカーボネートやポリシクロオレフィン等の高分子材料から形成されてもよい。
【００５３】
また、封止カバー１４の内面には、光反射率の高い白色のコーディング等を施して、面照明装置２の発光効率を高めるのが好ましい。
【００５４】
（保護板）
本実施例において、保護板１６は、ガラス製で透明な板状である。なお、保護板１６には高分子フィルム基板が用いられてもよく、例えば、ポリエステル、ポリエチレンテレフタレート、ポリエチレンナフタレート等の透明な樹脂基板が望ましい。
【００５５】
また、各有機ＥＬ素子１２Ｒ、１２Ｇ、１２Ｂが発する光の合成をより促進するために、例えば乳白色等の保護板を用いてもよい。
【００５６】
（反射板）
本実施例において、反射板２０は平板状に形成されており、有機ＥＬ素子１２から発せられた後、基板１０内や保護板１６内で屈折、反射して保護板１６から外方へ放射されずに反射板２０に達した光を反射して発光面４側から外部へ放射する。これにより、上述した未発光領域Ａを狭めることが可能であり、各面照明装置２の発光面４における発光領域が連続して見えるようになり、美観を改善することができる。
【００５７】
なお、反射板２０の形状はこれに限られず、枠部材１８と一体に形成されてもよく、この場合の反射板２０の断面は中空でなくてもよい。また、反射板２０の代わりに、反射板２０に光が拡散するように凹凸を形成した拡散板を使用してもよい。
【００５８】
（面照明装置間の構成）
図４に、図２に示した面照明装置２のIV−IV線に沿う断面図を示す。隣接する親機となる面照明装置２ａ、子機となる面照明装置２ｂの側面部６となる被覆カバー２２の側面部２２ａには、互いに対向する位置に貫通孔（光伝達手段）８がそれぞれ穿設されている。そして、貫通孔８には導光部材（光伝達手段）２４ａ、２４ｂがそれぞれ嵌め込まれている。面照明装置２ａの貫通孔８に嵌め込まれた導光部材２４ａは、面照明装置２ａの有機ＥＬ素子１２が光を発した後、基板１０を通って導光部材２４ａに達した光を放射するものである。面照明装置２ｂの貫通孔８に嵌め込まれた導光部材２４ｂは、面照明装置２ａが導光部材２４ａから発する光を受光センサ（光検出手段）２６に導くためのものである。なお、導光部材２４ａ、２４ｂ、及び受光センサ２６は、後述する親機及び子機の組み合わせの順番に従って配置される。
【００５９】
受光センサ２６は、例えば受光センサ２６に入射した光の輝度及び色度の少なくともいずれか一方の光特性を検出するものである。本実施例では、光特性として輝度及び色度の両方を検出するものとする。ここで、面照明装置２ｂに配置された導光部材２４ａ、２４ｂと受光センサ２６との間に光学レンズを配置してもよい。光学レンズを配置することにより、受光センサ２６の受光感度を高めることができる。なお、受光センサ２６が検出する光の特性は輝度や色度に限られず、いずれか一方でもよい。具体的な受光センサ２６として、例えば、フォトダイオード、ＣＣＤイメージセンサ、ＣＭＯＳイメージセンサ等がある。また、色度を検出する場合には、受光センサ２６の受光面側にカラーフィルタを設けて色度の判定を行うようにしてもよい。
【００６０】
なお、本実施例において、受光センサ２６に位置する反射板２０は、受光センサ２６を配置するため一部を切り欠いている。これに代えて、受光センサ２６が配置される枠部材１８の一辺だけ反射板２０の傾きを他の三辺と変えてもよい。
【００６１】
（導光部材）
本実施例において、導光部材２４ａ、２４ｂは、例えば内側が反射板で被覆された中空筒状の部材や、光ファイバー、ガラス、アクリル樹脂、塩化ビニル樹脂、ポリカーボネート樹脂、シリコンゴム等を使用してもよい。また、本実施例における導光部材２４ａ、２４ｂとしては、厚みが３ｍｍのときの波長５８９．３ｎｍの光に対する透過率が５０％以上、且つ屈折率が１．３以上となる材料が好ましい。このような導光部材２４ａ、２４ｂを使用することにより、面照明装置２ａの発する光の一部を隣接する面照明装置２ｂに配置された受光センサ２６に入射させることができる。
【００６２】
（面照明システムの構成）
図５は、本発明の第１実施例に係る面照明システム１の平面図である。図５に示すように、面照明システム１はｍ×ｎ台の面照明装置２から構成されており、そのうち任意の１台を選定して、それを基準ユニットとする。本実施例では、面照明装置２Ｓ11を基準ユニットとして選定しており、基準ユニット２Ｓ11以外の面照明装置２Ｓ12〜２Ｓmnを従属ユニットとしている。なお、基準ユニットの選定は、基準ユニットまたは従属ユニットを切り替えるスイッチを面照明装置２に設け、このスイッチによって行ってもよく、またはリモコンや後述する操作部によって行ってもよい。
【００６３】
また、図５に示したそれぞれの矢印の順番に従って、親機となる面照明装置２の側面部６に穿設された貫通孔８には導光部材２４ａ、導光部材２４ａが配置された貫通孔８に対向する位置に穿設された子機となる面照明装置２の貫通孔８には導光部材２４ｂ及び受光センサ２６がそれぞれ配置され、矢印の順番に従って各面照明装置２Ｓ12〜２Ｓmnの発する光の光特性が制御されていく。
【００６４】
図５に示す従属ユニット２Ｓ12〜２Ｓmnにおいて、基準ユニット２Ｓ11は従属ユニット２Ｓ12（第１従属ユニット）の親機となり、従属ユニット２Ｓ12は基準ユニット２Ｓ11の子機の関係になる。その後、従属ユニット２Ｓ12は、隣接する従属ユニット２Ｓ13（第２従属ユニット）の親機となり、従属ユニット２Ｓ13は子機の関係になる。さらにこの後、従属ユニット２Ｓ13は従属ユニット２Ｓ14（第３従属ユニット）の親機となり、従属ユニット２Ｓ14は子機となる。このように従属ユニットの親子関係が図５中の矢印に従って従属ユニット２Ｓmn（第（Ｘ＋１）従属ユニット、Ｘは１以上の整数）まで順次切り替わっていく。
【００６５】
上記の設定に従い、以下、面照明装置２Ｓ11を基準ユニット２Ｓ11、面照明装置２Ｓ12〜２Ｓmnを従属ユニット２Ｓ12〜２Ｓmnと読み替えて説明する。図６は、第１実施例の基準ユニットの構成例を示すブロック図である。
【００６６】
図６に示すように、第１実施例において、基準ユニット２Ｓ11には、基準ユニット２Ｓ11に配置されている各有機ＥＬ素子１２への電力供給を行う電力制御回路３０が設けられている。電力制御回路３０には、コントローラ３１と、当該コントローラ３１を介して操作部３４が接続されている。コントローラ３１は、基準ユニット２Ｓ11の点灯／非点灯を制御すると共に、輝度や色度等の光特性を制御（点灯制御）する。操作部３４は、ユーザと面照明システム１とを関連付けるマンマシン・インタフェースとして機能し、例えば操作キー及び表示部から構成されていてもよい。コントローラ３１は、操作部３４から入力されて指示された特性の光を得るために必要な各有機ＥＬ素子１２の電力量を求め、電力制御回路３０へ指令を送る。また、コントローラ３１にはメモリ３６が接続されており、指示された特性と、この特性を得るために必要な電力量とは予め関連付けられてメモリ３６に記憶されている。
【００６７】
電力制御回路３０には、基準ユニット２Ｓ11に配置されている複数の有機ＥＬ素子１２Ｒ、有機ＥＬ素子１２Ｇ、有機ＥＬ素子１２Ｂがそれぞれ接続されており、電力制御回路３０は各有機ＥＬ素子１２にそれぞれ供給する電力量を制御する。
【００６８】
また、図６に示すように、基準ユニット２Ｓ11には、外部制御端末４０が送信した赤外線信号を受信する赤外線センサ３５（通信手段）が設けられている。赤外線センサ３５は、外部制御端末４０が送信した赤外線信号によるテスト情報（制御信号）およびパターン情報を受信して、電気信号に変換し、変換後の電気信号のテスト情報およびパターン情報をコントローラ３１に入力する。
【００６９】
図６に示すように、基準ユニット２Ｓ11には、コントローラ３１からテスト情報およびパターン情報を電源端子５１を介して電源ライン５０に送出する送信モデム３２が設けられている。
【００７０】
テスト情報について説明する。テスト情報とは、外部制御端末４０が各従属ユニット２Ｓ12〜２Ｓmnを識別するために、各従属ユニット２Ｓ12〜２Ｓmnにそれぞれ所定の文字列や番号を点灯表示させるための情報である。具体的には，例えば、テスト情報とは、各従属ユニット２Ｓ12〜２Ｓmnに、予めそれぞれに設定されているシリアル番号や、当該シリアル番号の下数桁等をそれぞれ点灯表示させることを指示する情報である。なお、本実施形態では、各従属ユニット２Ｓ12〜２Ｓmnを識別するために、シリアル番号が用いられているが、各従属ユニット２Ｓ12〜２Ｓmnを識別可能であれば、シリアル番号に限られず、製造番号や、設置時に割り当てられた各従属ユニット２Ｓ12〜２Ｓmnの番号等の文字列や記号列による固有の識別子であってもよい。
【００７１】
図７は、基準ユニット２Ｓ11がテスト情報を送信したとき、および各従属ユニット２Ｓ12〜２Ｓmnがテスト情報を受信したときに、基準ユニット２Ｓ11および各従属ユニット２Ｓ12〜２Ｓmnにおいて行われる点灯表示の例を示すタイミングチャートである。
【００７２】
図７に示す例では、まず、基準ユニット２Ｓ11および各従属ユニット２Ｓ12〜２Ｓmnの各色の有機ＥＬ素子は、テスト情報を送信すると（基準ユニット２Ｓ11）、または受信すると（従属ユニット２Ｓ12，２Ｓmn）、一旦消灯状態となった後に点灯状態となる。そして、各従属ユニット２Ｓ12〜２Ｓmnは、所定の周期でそれぞれシリアル番号を繰り返し点灯表示する。なお、基準ユニット２Ｓ11の各色の有機ＥＬ素子は、一旦消灯状態となったあとに、点灯状態となってもよいし、点灯状態となることなく消灯状態が継続してもよい。また、基準ユニット２Ｓ11の各色の有機ＥＬ素子も、シリアル番号を繰り返し点灯表示してもよい。
【００７３】
図８は、基準ユニット２Ｓ11がテスト情報を送信したとき、および各従属ユニット２Ｓ12〜２Ｓmnがテスト情報を受信したときに、基準ユニット２Ｓ11および各従属ユニット２Ｓ12〜２Ｓmnにおいて行われる点灯表示の他の例を示すタイミングチャートである。なお、本例におけるテスト情報は、各従属ユニット２Ｓ12〜２Ｓmnのうちシリアル番号を点灯表示する従属ユニットのシリアル番号の下数桁（例えば、下４桁。なお、下４桁よりも多い桁数であってもよいし、少ない桁数であってもよい。）を示す情報を含む。図８に示す他の例では、テスト情報を送信すると（基準ユニット２Ｓ11）、または受信すると（従属ユニット２Ｓ12，２Ｓmn）、一旦消灯状態となった後に点灯状態となる。そして、基準ユニット２Ｓ11および各従属ユニット２Ｓ12〜２Ｓmnは、テスト情報が示すシリアル番号の下数桁を点灯表示する。そして、テスト情報が示すシリアル番号の下数桁と、シリアル番号の下数桁とが合致する基準ユニット２Ｓ11および各従属ユニット２Ｓ12〜２Ｓmnは（図８に示す例では、従属ユニット２Ｓ12）、所定の周期でシリアル番号を繰り返し点灯表示する。なお、基準ユニット２Ｓ11の各色の有機ＥＬ素子は、図７に示す例と同様に、一旦消灯状態となったあとに、点灯状態となってもよいし、点灯状態となることなく消灯状態が継続してもよい。
【００７４】
なお、基準ユニット２Ｓ11がテスト情報を送信したとき、および各従属ユニット２Ｓ12〜２Ｓmnがテスト情報を受信したときに、基準ユニット２Ｓ11および各従属ユニット２Ｓ12〜２Ｓmnは、さらに異なる点灯表示を行ってもよい。具体的には、例えば、まず、テスト情報を送信すると（基準ユニット２Ｓ11）、または受信すると（従属ユニット２Ｓ12，２Ｓmn）、一旦消灯状態となった後に点灯状態とする。そして、基準ユニット２Ｓ11および各従属ユニット２Ｓ12〜２Ｓmnは、それぞれシリアル番号の下数桁を点灯表示する。そして、例えば、基準ユニット２Ｓ11および各従属ユニット２Ｓ12〜２Ｓmnのうち、シリアル番号のバイナリ表記時の下１桁目の数字が「１」であるユニットに当該シリアル番号を点灯表示させ、他のユニットを消灯状態とする。次に、基準ユニット２Ｓ11および各従属ユニット２Ｓ12〜２Ｓmnのうち、シリアル番号のバイナリ表記時の下２桁目の数字が「１」であるユニットに当該シリアル番号を点灯表示させ、他のユニットを消灯状態とする。このように、シリアル番号のバイナリ表記時の各桁において数字が「１」となるユニットに順次当該シリアル番号を点灯表示させる。
【００７５】
基準ユニット２Ｓ11がテスト情報を送信したとき、および各従属ユニット２Ｓ12〜２Ｓmnがテスト情報を受信したときに、基準ユニット２Ｓ11および各従属ユニット２Ｓ12〜２Ｓmnにおいて行われる点灯表示のさらに別の例について説明する。本例では、まず、テスト情報を送信すると（基準ユニット２Ｓ11）、または受信すると（従属ユニット２Ｓ12，２Ｓmn）、一旦消灯状態となった後に点灯状態とする。そして、基準ユニット２Ｓ11および各従属ユニット２Ｓ12〜２Ｓmnは、それぞれシリアル番号の下数桁を点灯表示する。さらに、例えば、基準ユニット２Ｓ11および各従属ユニット２Ｓ12〜２Ｓmnは、例えば、シリアル番号が小さい順に当該シリアル番号を点灯表示させ、他のユニットを消灯状態とする。このように、基準ユニット２Ｓ11および各従属ユニット２Ｓ12〜２Ｓmnに、シリアル番号が小さい順に１つずつ当該シリアル番号を点灯表示させていく。なお、基準ユニット２Ｓ11および各従属ユニット２Ｓ12〜２Ｓmnにシリアル番号を点灯表示する順序は、シリアル番号が小さい順に限られず、大きい順であってもよいし、他の順序であってもよい。
【００７６】
外部制御端末４０は、ユーザの操作に従って、上述の何れかの処理が実行されている基準ユニット２Ｓ11および各従属ユニット２Ｓ12〜２Ｓmnの点灯状態を撮影し、基準ユニット２Ｓ11および各従属ユニット２Ｓ12〜２Ｓmnのシリアル番号をそれぞれ認識する。
【００７７】
ここで、外部制御端末４０について説明する。図９Ａは、外部制御端末４０の構成例を示すブロック図である。図９Ａに示す例では、外部制御端末４０は、情報処理部４１を有する。そして、情報処理部４１には、ディスプレイ４２、撮影手段４３（撮像素子）、操作手段４４（キー入力装置）、および出力インタフェース４５（情報送信手段）が接続されている。なお、ディスプレイ４２、撮影手段４３、操作手段４４、および出力インタフェース４５は、それぞれ外部制御端末４０に搭載されていてもよい。また、操作手段４４とディスプレイ４２とは、タッチパネルによって実現されていてもよい。
【００７８】
撮影手段４３は、操作手段４４になされたユーザの操作に従って撮影処理を行う。具体的には、例えば、操作手段４４になされたユーザの操作に従って基準ユニット２Ｓ11および各従属ユニット２Ｓ12〜２Ｓmnを撮影した画像データを生成する撮影処理を行い、当該画像データを情報処理部４１に入力する。なお、撮影処理は、前述したように、基準ユニット２Ｓ11がテスト情報を送信したとき、および各従属ユニット２Ｓ12〜２Ｓmnがテスト情報を受信したときに、基準ユニット２Ｓ11および各従属ユニット２Ｓ12〜２Ｓmnにおいてそれぞれ点灯表示が行われているときにそれぞれ実行される。
【００７９】
情報処理部４１は、入力された画像データに基づいて画像認識処理を行う。具体的には、情報処理部４１は、例えば、入力された画像データに基づいて、基準ユニット２Ｓ11および各従属ユニット２Ｓ12〜２Ｓmnに点灯表示されているそれぞれのシリアル番号を認識し、各基準ユニット２Ｓ11および各従属ユニット２Ｓ12〜２Ｓmnの位置、発光方向、および各ユニット間の間隔のうちの少なくとも１つとともに、各面照明装置の並びを認識する画像認識処理を行う。なお、情報処理部４１は、画像認識処理の前または後に、撮影時の撮影アングルの補正や撮影手段４３のレンズによる画像の歪み補正を行うことが好ましい。また、画像の歪み補正を行った場合には、当該歪み補正後の画像をディスプレイ４２に表示することが好ましい。
【００８０】
また、情報処理部４１は、入力された画像データに基づく画像をディスプレイ４２にグラフィック表示させる。そして、情報処理部４１は、ディスプレイ４２にグラフィック表示させた画像における基準ユニット２Ｓ11および各従属ユニット２Ｓ12〜２Ｓmnと、当該基準ユニット２Ｓ11および各従属ユニット２Ｓ12〜２Ｓmnのシリアル番号とをそれぞれ関連付けし、操作手段４４になされたユーザの操作に応じて、出力インタフェース４５に基準ユニット２Ｓ11および各従属ユニット２Ｓ12〜２Ｓmnへ直接に、または間接的にパターン情報を送信させる。そうすると、基準ユニット２Ｓ11および各従属ユニット２Ｓ12〜２Ｓmnが発する光の光特性を個別に変更することができる。
【００８１】
図９Ｂは、外部制御端末４０による撮影状態を示す説明図である。図９Ｃは、外部制御端末４０の前面図である。図９Ｂ，９Ｃに示す例では、外部制御端末４０には、少なくとも撮影手段４３、操作手段４４およびディスプレイ４２が搭載されている。なお、外部制御端末４０は、例えば、ディスプレイ４２、撮影手段４３、操作手段４４、および出力インタフェース４５を備えた多機能携帯通信端末であるスマートフォンや、固定設置される情報通信端末装置によって実現される。
【００８２】
図９Ｂに示されているように、外部制御端末４０の撮影手段４３が、ユーザによる操作手段４４への操作に従って面照明装置２Ｓ11〜２Ｓmnを撮影すると、図９Ｃに示されているように、ディスプレイ４２に、画像認識処理結果がグラフィック表示される。具体的には、図９Ｃに示す例では、テスト情報に基づいてそれぞれシリアル番号を点灯表示している面照明装置２Ｓ11〜２Ｓ34が、照明１１〜３４としてそれぞれ認識されている。つまり、情報処理部４１によって、面照明装置２Ｓ11〜２Ｓ34と各面照明装置２Ｓ11〜２Ｓ34が点灯表示しているシリアル番号とが関連づけされて、照明１１〜３４としてディスプレイ４２に表示されている。また、図９Ｃには、画像認識処理によって、面照明装置２Ｓ11〜２Ｓ34の位置、各面照明装置間の間隔とともに各面発光装置の並びが認識されていることが示されている。
【００８３】
なお、面照明装置２Ｓ11〜２Ｓmn間の境界が明確でなく、情報処理部４１が各面照明装置２Ｓ11〜２Ｓ34のそれぞれを認識することが困難である場合には、情報処理部４１は、出力インタフェース４５に、各面照明装置２Ｓ11〜２Ｓmnをそれぞれ１つずつ点灯表示状態とするようなテスト情報を送信させる。そして、情報処理部４１は、各面照明装置２Ｓ11〜２Ｓmnがそれぞれ点灯表示状態であるときにそれぞれ撮影処理を行い、各撮影処理で生成した画像データにもとづいて各面照明装置２Ｓ11〜２Ｓmnをそれぞれ認識する。
【００８４】
また、ユーザによって操作手段４４になされた操作に基づいて、各面照明装置２Ｓ11〜２Ｓmnの配置とシリアル番号とが情報処理部４１に入力されてもよい。
【００８５】
パターン情報について説明する。パターン情報とは、各従属ユニット２Ｓ12〜２Ｓmnのうち少なくとも１つの面照明装置を指定し、当該面照明装置の親機となる面照明装置が発する光の光特性に対する当該面照明装置が発する光の光特性の関係を示す情報である。つまり、パターン情報は、各従属ユニット２Ｓ12〜２Ｓmnが発する光の光特性を個別に変更することを指示するための情報である。従って、パターン情報は、発する光の光特性を変更したい面照明装置を示す情報（例えば、シリアル番号）と、当該光特性の変更内容を示す情報とを含む。
【００８６】
外部制御端末４０の情報処理部４１は、ユーザによって操作手段４４になされた操作に従ってパターン情報を生成し、生成したパターン情報を出力インタフェース４５に出力させる。具体的には、ディスプレイ４２がタッチパネルである場合に、当該ディスプレイ４２において、発する光の光特性を変化させたい面照明装置が表示されている領域がユーザによってタッチされたときに、情報処理部４１は、隣接する面照明装置が発する光の光特性との輝度や色度の比を設定可能な画面を当該ディスプレイ４２に表示させる。そして、当該画面が用いられてユーザになされた操作に応じたパターン情報を生成する。
【００８７】
また、情報処理部４１は、ユーザによって操作手段４４になされた操作に従って、ディスプレイ４２に表示されている各面照明装置の並び順に従って（つまり、実際に各面照明装置が設置されている並び順に従って）、各面照明装置の輝度や色度等を所定の割合で変化させることを指示するパターン情報を生成してもよい。そのようなパターン情報によって、廊下側の列に設置されている面照明装置から窓側の列に設置されている面照明装置に亘って、徐々に発光量が多くなるように、面照明システム全体の発光パターンを設定することができる。また、各面照明装置が設置されている列ごとに発する光の光特性を変更することができる。そして、当該列における一の面照明装置が発する光の光特性を変更すれば、当該列において当該一の面照明装置を直接にまたは間接的に親機とする子機である面照明装置が発する光の光特性を変更することができる。
【００８８】
出力インタフェース４５は、情報処理部４１が生成したパターン情報およびテスト情報を面照明装置に送信する。具体的には、例えば、赤外線通信で送信したり、携帯電話通信網を介して送信したり、無線ＬＡＮ（Ｌｏｃａｌ  Ａｒｅａ  Ｎｅｔｗｏｒｋ）通信で送信したり、電力線通信で送信したり、有線ＬＡＮを介して送信したり、インターネットを介して送信したり、ＺｉｇＢｅｅ（登録商標）等の近距離無線通信で送信したり、ブルートゥース（登録商標）で送信したり、有線の光通信回線や電気通信回線を介して送信したりする。
【００８９】
図１０は、第１実施例の従属ユニットの構成例を示すブロック図である。図１０に示すように、各従属ユニット２Ｓ12〜２Ｓmnは、受光センサ２６、メモリ３６、コントローラ３８、電力制御回路３０、複数の有機ＥＬ素子１２Ｒ、有機ＥＬ素子１２Ｇ、有機ＥＬ素子１２Ｂ、および受信モデム３３（通信手段）を有し、電源端子５１で電源ライン５０に接続されている。本実施例では、基準ユニットと従属ユニットとの構成を一部共通化しているため、従属ユニット２Ｓ12〜２Ｓmnも操作部３４を有しているが、従属ユニットとして作動する場合にはこれらの機能を使用しないものとする。同様に、図６には、基準ユニット２Ｓ11が受光センサ２６を有していることが示されているが、基準ユニットとして作動する場合にはこの機能を使用しないものとする。
【００９０】
なお、本実施例において、基準ユニット２Ｓ11と従属ユニット２Ｓ12〜２Ｓmnとは共通の電源ライン５０で接続されている。このように構成することによって基準ユニット２Ｓ11の送信モデム３２が送信したテスト情報およびパターン情報を電源ライン５０を介して従属ユニット２Ｓ12〜２Ｓmnの受信モデム３３が受信することができる。そして、従属ユニット２Ｓ12〜２Ｓmnのコントローラ３８は、受信モデム３３が受信したテスト情報またはパターン情報に応じた処理を実行する。また、コントローラ３８は、受光センサ２６が受光した光に応じた処理を実行する。具体的には、コントローラ３８は、テスト情報またはパターン情報に示されている指示に応じた特性の光、または受光センサ２６が受光した光に応じた特性の光を得るために必要な各有機ＥＬ素子１２の電力量を求め、電力制御回路３０へ指令を送る処理を行う。そして、電力制御回路３０は各有機ＥＬ素子１２にそれぞれ供給する電力量を制御し、各有機ＥＬ素子１２から、テスト情報またはパターン情報に示されている指示に応じた特性の光、または受光センサ２６が受光した光に応じた特性の光が放射される。特に、パターン情報に含まれている、発する光の光特性を変更したい面照明装置を示す情報に合致する従属ユニット（例えば、当該パターン情報に含まれているシリアル番号に合致するシリアル番号の従属ユニット）のコントローラ３８は、当該パターン情報に含まれている当該光特性の変更内容を示す情報に従って、変更後の光特性の光を発するために必要な各有機ＥＬ素子１２の電力量を求め、電力制御回路３０へ指令を送る処理を行う。そして、電力制御回路３０は各有機ＥＬ素子１２にそれぞれ供給する電力量を制御し、各有機ＥＬ素子１２から、パターン情報に示されている指示に応じた特性の光が発せられるようになる。つまり、親機となる面照明装置が発する光の光特性と、親機に対し子機となる面照明装置が発する光の光特性との関係がパターン情報が示す所定の関係になるように、当該子機となる面照明装置を個別に制御することが可能になる。
【００９１】
図１１は、基準ユニット２Ｓ11と従属ユニット２Ｓ12との接続例を示すブロック図である。図１１に示し、前述したように、基準ユニット２Ｓ11と従属ユニット２Ｓ12とは、電源ライン５０を介して接続されている。
【００９２】
図１１に示すように、基準ユニット２Ｓ11の赤外線センサ３５は、外部制御端末４０から送信された情報（テスト情報およびパターン情報を、単に情報と総称する）を受信すると、電気信号に変換してコントローラ３１に入力する。送信モデム３２は、電気信号に変換されてコントローラ３１に入力された情報を電源ライン５０に送出する。従属ユニット２Ｓ12の受信モデム３３は、電源ライン５０に送出された情報を受信してコントローラ３８に入力する。そして、コントローラ３８は、前述したように、受信モデム３３が受信したテスト情報またはパターン情報に応じた処理や、受光センサ２６が受光した光に応じた処理を実行する。
【００９３】
このように構成された本発明の第１実施例に係る面照明システム１の制御について、図１２から説明する。図１２は、基準ユニット２Ｓ11の発光制御を示すフローチャートである。コントローラ３１は、図１２のフローチャートに従い基準ユニット２Ｓ11の発光制御を実行する。
【００９４】
（基準ユニットの輝度及び色温度調整）
ステップＳ１では、ユーザが操作部３４から設定した基準ユニット２Ｓ11における輝度及び色温度を読み込む。ここで設定される輝度は、例えば有機ＥＬ素子１２が非点灯となる輝度〜最大輝度までの間から連続的に、或いは段階的に設定されてもよい。同様に、色温度は、例えば電球色から昼光色までの間で連続的或いは段階的に設定されてもよい。
【００９５】
ステップＳ２では、上記ステップＳ１で設定された輝度及び色温度になるように、各有機ＥＬ素子１２Ｒ、有機ＥＬ素子１２Ｇ、有機ＥＬ素子１２Ｂにそれぞれ供給する電力量を求める。ここで、輝度に対する電力量は、例えばメモリ３６に記憶されたマップから、輝度及び色温度に対する電力量を求めるようにしてもよい。
【００９６】
赤外線センサ３５が外部制御端末４０からテスト情報またはパターン情報を受信した場合に（ステップＳ３のＹ）、テスト情報またはパターン情報は電気信号に変換されてコントローラ３１に入力される。そして、送信モデム３２は、ステップＳ４で、電源端子５１および電源ライン５０を介して従属ユニットに、当該コントローラ３１に入力されたテスト情報またはパターン情報を送信する。
【００９７】
ステップＳ５では、コントローラ３１は、赤外線センサ３５から入力されたテスト情報またはパターン情報に応じた輝度及び色温度になるように、各有機ＥＬ素子１２Ｒ、有機ＥＬ素子１２Ｇ、有機ＥＬ素子１２Ｂにそれぞれ供給する電力量を求め、ステップＳ２で求めた電力量を補正する。
【００９８】
ステップＳ６では、コントローラ３１は、上記ステップＳ２で求められた電力量またはステップＳ５で補正された電力量になるように、電力制御回路３０から各有機ＥＬ素子１２Ｒ、有機ＥＬ素子１２Ｇ、有機ＥＬ素子１２Ｂに供給する電力量を調整する。
【００９９】
（基準ユニットに基づく従属ユニットの輝度及び色度調整）
図１３は、親機である基準ユニット２Ｓ11に隣接する子機となる従属ユニット２Ｓ12の発光制御を示すフローチャートである（発光制御ステップ）。従属ユニットのコントローラ３８は、図１３のフローチャートに従い、従属ユニットの発光制御を実行する。詳しくは、図５に示したように、基準ユニット２Ｓ11の輝度及び色温度に基づいて、隣接する従属ユニット２Ｓ12（第１従属ユニット）の輝度及び色温度を制御するフローチャートであり、以下に説明する。
【０１００】
ステップＳ１１０では、隣接する基準ユニット２Ｓ11の発する光の一部が導光部材２４ａ、２４ｂを介して従属ユニット２Ｓ12の受光センサ２６に入射することにより、基準ユニット２Ｓ11の発する光の輝度及び色度を検出する。
【０１０１】
ステップＳ１２０では、メモリに記憶した補正係数を用い、上記ステップＳ１１０で検出した輝度及び色度を補正する。使用する補正係数は、例えば導光部材２４ａ、２４ｂの有するスペクトルの減衰特性から求められる。導光部材２４ａ、２４ｂの有する光透過性は透過率が必ずしも１００％ではないため、基準ユニット２Ｓ11の発する光の一部が導光部材２４ａ、２４ｂを通過することで、基準ユニット２Ｓ11の発する光の光特性よりも受光センサ２６で検出した光特性、つまり輝度及び色度が異なる可能性がある。従って、導光部材２４ａ、２４ｂのスペクトルの減衰特性に基づく輝度及び色度の補正係数をそれぞれ予め求めてメモリ３６に記憶しておき、当該ステップＳ１２０で当該減衰特性を補償するように、上記ステップＳ１１０で検出した輝度及び色度に補正係数を掛けて補正することにより、受光センサ２６で検出した輝度及び色度を基準ユニット２Ｓ11の発する実際の光の輝度及び色度に略等しく合わせることができる。
【０１０２】
ステップＳ１３０では、従属ユニット２Ｓ12の発する光の輝度及び色度が、上記ステップＳ１２０で補正した輝度及び色度と略等しくなるように電力量を算出する。ここで、電力量を算出する方法としては、上記ステップＳ２で述べた方法と同様である。
【０１０３】
受信モデム３３が基準ユニット２Ｓ11からテスト情報またはパターン情報を受信した場合に（ステップＳ１４０のＹ）、コントローラ３８は、ステップＳ１５０で、テスト情報またはパターン情報に応じた輝度及び色温度になるように、各有機ＥＬ素子１２Ｒ、有機ＥＬ素子１２Ｇ、有機ＥＬ素子１２Ｂにそれぞれ供給する電力量を求め、ステップＳ１３０で求めた電力量を補正する。
【０１０４】
ステップＳ１６０では、コントローラ３８は、上記ステップＳ１３０で求められた電力量またはステップＳ１５０で補正された電力量になるように、電力制御回路３０から各有機ＥＬ素子１２Ｒ、有機ＥＬ素子１２Ｇ、有機ＥＬ素子１２Ｂに供給する電力量を調整する。
【０１０５】
（従属ユニットに基づく従属ユニットの輝度調整）
図１４は、親機となる従属ユニットが発する光に基づいて、子機となる従属ユニットの発する光を制御するフローチャートである（発光制御ステップ）。上述したように、基準ユニット２Ｓ11の発する光に基づいて発する光の光特性が制御された従属ユニット２Ｓ12を親機とし、従属ユニット２Ｓ13を子機として光特性を制御した後、順次親機を切り替えて、各従属ユニットが発する光の光特性が未制御の従属ユニットの光特性を制御するものである。以下の説明は、一例として、従属ユニット２Ｓ12（第１従属ユニット、親機）に基づいて、従属ユニット２Ｓ12に隣接する従属ユニット２Ｓ13（第２従属ユニット、子機）を制御するものである。
【０１０６】
ステップＳ２０１では、隣接する従属ユニット２Ｓ12の発する光の一部が導光部材２４ａ、２４ｂを介して従属ユニット２Ｓ13の受光センサ２６に入射することにより、従属ユニット２Ｓ12の発する光の輝度及び色度を検出する。このように導光部材２４ａ、２４ｂを使用することにより、上記ステップＳ１１０で述べたことと同様の効果を得ることができる。
【０１０７】
ステップＳ２０２では、上記ステップＳ２０１で検出した輝度及び色度を補正する。使用する補正係数は、上記ステップＳ１２０と同様である。予め求められた導光部材２４ａ、２４ｂのスペクトルの減衰特性を補償するように、上記ステップＳ２０１で検出された輝度及び色度に補正係数を掛けて補正することにより、受光センサ２６で検出した輝度及び色度を従属ユニット２Ｓ12の発する光の輝度及び色度に略等しく合わせることができる。
【０１０８】
ステップＳ２０３では、従属ユニット２Ｓ13の発する光の光特性が上記ステップＳ２０２で補正された輝度及び色度と略等しくなるように、従属ユニット２Ｓ13の発する光の輝度及び色度の電力量を算出する。ここで、電力量の算出方法としては、上記ステップＳ２で述べた方法と同様である。
【０１０９】
受信モデム３３が基準ユニット２Ｓ11からテスト情報またはパターン情報を受信した場合に（ステップＳ２０４のＹ）、コントローラ３８は、ステップＳ２０５で、テスト情報またはパターン情報に応じた輝度及び色温度になるように、各有機ＥＬ素子１２Ｒ、有機ＥＬ素子１２Ｇ、有機ＥＬ素子１２Ｂにそれぞれ供給する電力量を求め、ステップＳ２０３で求めた電力量を補正する。
【０１１０】
ステップＳ２０６では、コントローラ３８は、上記ステップＳ２０３で求められた電力量またはステップＳ２０５で補正された電力量になるように、電力制御回路３０から各有機ＥＬ素子１２Ｒ、有機ＥＬ素子１２Ｇ、有機ＥＬ素子１２Ｂに供給する電力量を調整する。
【０１１１】
以下同様に、本フローチャートは残る従属ユニット２Ｓ14〜２Ｓmnに対しても親機、子機の関係を入れ替えながら行うものである。
【０１１２】
このように、本実施例によれば、基準ユニット２Ｓ11の輝度及び色度に基づいて従属ユニット２Ｓ12の輝度及び色度を制御し、従属ユニット２Ｓ12の輝度及び色度に基づいて従属ユニット２Ｓ13の輝度及び色度を制御することを順次行って最後に従属ユニット２Ｓmnの輝度及び色度を制御することにより、図５に示すように隣接する面照明装置２の発する光の輝度及び色度が順次制御されていく。即ち、基準ユニット２Ｓ11が発する光は、導光部材２４ａ、２４ｂを介して従属ユニット２Ｓ12へ入射し、基準ユニット２Ｓ11の輝度及び色度と略等しくなるように制御される。次に、従属ユニット２Ｓ12の発する光の一部が導光部材２４ａ、２４ｂを介して隣接する従属ユニット２Ｓ13へ入射し、従属ユニット２Ｓ13の輝度及び色度が従属ユニット２Ｓ12と略等しくなるように制御される。このように、基準ユニット２Ｓ11の輝度及び色度を変えることにより、従属ユニット２Ｓ12〜２Ｓmnまでの輝度及び色度を順次制御することができる。
【０１１３】
また、導光部材２４ａ、２４ｂを使用して受光センサ２６に面照明装置２の発する光を導くので、面照明装置２以外の散乱光の影響を受けにくくなり、従属ユニットの輝度及び色度の制御精度を向上させることができる。
【０１１４】
さらに、各面照明装置２が受信したテスト情報に応じて点灯表示を行うことにより、外部制御端末４０は各面照明装置２のシリアル番号を認識することが可能になり、当該外部制御端末４０は、認識した各面照明装置２のシリアル番号を示す情報を含むパターン情報を各面照明装置２に送信して、各面照明装置が発する光の光特性を個別に変更することが可能になる。より具体的には、親機となる面照明装置が発する光の光特性と、親機に対し子機となる面照明装置が発する光の光特性との関係がパターン情報が示す所定の関係になるように、当該子機となる面照明装置を個別に制御することが可能になる。
【０１１５】
（面照明システムの第１変形例）
さらに、上記第１実施例の第１変形例について以下に説明する。以上に述べた第１実施例では、基準ユニット２Ｓ11の赤外線センサ３５が外部制御端末４０から情報を受信し、当該情報（より具体的には、電気信号に変換後の当該情報）が当該基準ユニット２Ｓ11の送信モデム３２によって電源ライン５０に送出されることによって、当該情報が従属ユニット２Ｓ12〜２Ｓmnに伝達されていた。
【０１１６】
それに対して、本第１変形例では、基準ユニット２Ｓ11の外部に設置され、電源ライン５０に接続されたモデム３００が外部制御端末４０から情報を受信し、当該モデム３００が、受信した当該情報を電源ライン５０に送出することによって、当該情報が基準ユニット２Ｓ11および従属ユニット２Ｓ12〜２Ｓmnに伝達される。なお、本第１変形例においても、基準ユニット２Ｓ11と従属ユニット２Ｓ12〜２Ｓmnとはいずれも電源ライン５０に接続されている。
【０１１７】
また、本第１変形例では、基準ユニット２Ｓ11の構成と従属ユニット２Ｓ12〜２Ｓmnの構成とが共通化されている。
【０１１８】
図１５は、第１変形例の基準ユニットと従属ユニットとの構成例を示すブロック図である。図１５に示すように、第１変形例の基準ユニット２Ｓ11と従属ユニット２Ｓ12〜２Ｓmnとは、図６に示す基準ユニット２Ｓ11における送信モデム３２に代えて受信モデム３３を含む。また、第１変形例の基準ユニット２Ｓ11と従属ユニット２Ｓ12〜２Ｓmnとは、赤外線センサ３５を含んでいなくてもよい。第１変形例の基準ユニット２Ｓ11と従属ユニット２Ｓ12〜２Ｓmnとのその他の構成において、図６に示す基準ユニット２Ｓ11における構成と同様な要素には同じ符号を付して説明を省略する。
【０１１９】
第１変形例の基準ユニット２Ｓ11と従属ユニット２Ｓ12〜２Ｓmnとの受信モデム３３は、モデム３００が電源ライン５０に送出した情報を受信してコントローラ３１に入力する。
【０１２０】
図１６は、第１変形例における基準ユニット２Ｓ11と従属ユニット２Ｓ12との接続例を示すブロック図である。図１６に示し、前述したように、基準ユニット２Ｓ11と従属ユニット２Ｓ12とは、電源ライン５０を介して接続されている。
【０１２１】
図１６に示すように、基準ユニット２Ｓ11の外部に設置されたモデム３００は、外部制御端末４０から送信された情報を受信すると、受信した当該情報を電源ライン５０に送出する。送出された情報は、基準ユニット２Ｓ11の受信モデム３３と従属ユニット２Ｓ12の受信モデム３３とによってそれぞれ受信されて、コントローラ３１に入力される。そして、基準ユニット２Ｓ11と従属ユニット２Ｓ12とのコントローラ３１は、前述したように、受信モデム３３が受信したテスト情報またはパターン情報に応じた処理や、受光センサ２６が受光した光に応じた処理を実行する。
【０１２２】
このように構成された本発明の第１実施例の第１変形例に係る面照明システム１の制御について、図１７から説明する。図１７は、第１変形例の基準ユニット２Ｓ11の発光制御を示すフローチャートである。コントローラ３１は、図１７のフローチャートに従い基準ユニット２Ｓ11の発光制御を実行する。
【０１２３】
（基準ユニットの輝度及び色温度調整）
ステップＳ３１では、ユーザが操作部３４から設定した基準ユニット２Ｓ11における輝度及び色温度を読み込む。ここで設定される輝度は、例えば有機ＥＬ素子１２が非点灯となる輝度〜最大輝度までの間から連続的に、或いは段階的に設定されてもよい。同様に、色温度は、例えば電球色から昼光色までの間で連続的或いは段階的に設定されてもよい。
【０１２４】
ステップＳ３２では、上記ステップＳ３１で設定された輝度及び色温度になるように、各有機ＥＬ素子１２Ｒ、有機ＥＬ素子１２Ｇ、有機ＥＬ素子１２Ｂにそれぞれ供給する電力量を求める。ここで、輝度に対する電力量は、例えばメモリ３６に記憶されたマップから、輝度及び色温度に対する電力量を求めるようにしてもよい。
【０１２５】
受信モデム３３がモデム３００を介して外部制御端末４０からテスト情報またはパターン情報を受信した場合に（ステップＳ３３のＹ）、コントローラ３１は、ステップＳ３４で、受信モデム３３が受信したテスト情報またはパターン情報に応じた輝度及び色温度になるように、各有機ＥＬ素子１２Ｒ、有機ＥＬ素子１２Ｇ、有機ＥＬ素子１２Ｂにそれぞれ供給する電力量を求め、ステップＳ３２で求めた電力量を補正する。
【０１２６】
ステップＳ３５では、コントローラ３１は、上記ステップＳ３２で求められた電力量またはステップＳ３４で補正された電力量になるように、電力制御回路３０から各有機ＥＬ素子１２Ｒ、有機ＥＬ素子１２Ｇ、有機ＥＬ素子１２Ｂに供給する電力量を調整する。
【０１２７】
（基準ユニットに基づく従属ユニットの輝度及び色度調整）
図１８は、親機である基準ユニット２Ｓ11に隣接する子機となる従属ユニット２Ｓ12の発光制御を示すフローチャートである（発光制御ステップ）。従属ユニットのコントローラ３１は、図１８のフローチャートに従い、従属ユニットの発光制御を実行する。詳しくは、図５に示したように、基準ユニット２Ｓ11の輝度及び色温度に基づいて、隣接する従属ユニット２Ｓ12（第１従属ユニット）の輝度及び色温度を制御するフローチャートであり、以下に説明する。
【０１２８】
ステップＳ４１では、隣接する基準ユニット２Ｓ11の発する光の一部が導光部材２４ａ、２４ｂを介して従属ユニット２Ｓ12の受光センサ２６に入射することにより、基準ユニット２Ｓ11の発する光の輝度及び色度を検出する。
【０１２９】
ステップＳ４２では、メモリに記憶した補正係数を用い、上記ステップＳ４１で検出した輝度及び色度を補正する。使用する補正係数は、例えば導光部材２４ａ、２４ｂの有するスペクトルの減衰特性から求められる。導光部材２４ａ、２４ｂの有する光透過性は透過率が必ずしも１００％ではないため、基準ユニット２Ｓ11の発する光の一部が導光部材２４ａ、２４ｂを通過することで、基準ユニット２Ｓ11の発する光の光特性よりも受光センサ２６で検出した光特性、つまり輝度及び色度が異なる可能性がある。従って、導光部材２４ａ、２４ｂのスペクトルの減衰特性に基づく輝度及び色度の補正係数をそれぞれ予め求めてメモリ３６に記憶しておき、当該ステップＳ４２で当該減衰特性を補償するように、上記ステップＳ４１で検出した輝度及び色度に補正係数を掛けて補正することにより、受光センサ２６で検出した輝度及び色度を基準ユニット２Ｓ11の発する実際の光の輝度及び色度に略等しく合わせることができる。
【０１３０】
ステップＳ４３では、従属ユニット２Ｓ12の発する光の輝度及び色度が、上記ステップＳ４２で補正した輝度及び色度と略等しくなるように電力量を算出する。ここで、電力量を算出する方法としては、上記ステップＳ２で述べた方法と同様である。
【０１３１】
受信モデム３３がモデム３００からテスト情報またはパターン情報を受信した場合に（ステップＳ４４のＹ）、コントローラ３１は、ステップＳ４５で、テスト情報またはパターン情報に応じた輝度及び色温度になるように、各有機ＥＬ素子１２Ｒ、有機ＥＬ素子１２Ｇ、有機ＥＬ素子１２Ｂにそれぞれ供給する電力量を求め、ステップＳ４３で求めた電力量を補正する。
【０１３２】
ステップＳ４６では、コントローラ３１は、上記ステップＳ４３で求められた電力量またはステップＳ４５で補正された電力量になるように、電力制御回路３０から各有機ＥＬ素子１２Ｒ、有機ＥＬ素子１２Ｇ、有機ＥＬ素子１２Ｂに供給する電力量を調整する。
【０１３３】
（従属ユニットに基づく従属ユニットの輝度調整）
図１９は、親機となる従属ユニットが発する光に基づいて、子機となる従属ユニットの発する光を制御するフローチャートである（発光制御ステップ）。上述したように、基準ユニット２Ｓ11の発する光に基づいて発する光の光特性が制御された従属ユニット２Ｓ12を親機とし、従属ユニット２Ｓ13を子機として光特性を制御した後、順次親機を切り替えて、各従属ユニットが発する光の光特性が未制御の従属ユニットの光特性を制御するものである。以下の説明は、一例として、従属ユニット２Ｓ12（第１従属ユニット、親機）に基づいて、従属ユニット２Ｓ12に隣接する従属ユニット２Ｓ13（第２従属ユニット、子機）を制御するものである。
【０１３４】
ステップＳ５１では、隣接する従属ユニット２Ｓ12の発する光の一部が導光部材２４ａ、２４ｂを介して従属ユニット２Ｓ13の受光センサ２６に入射することにより、従属ユニット２Ｓ12の発する光の輝度及び色度を検出する。このように導光部材２４ａ、２４ｂを使用することにより、上記ステップＳ１１０で述べたことと同様の効果を得ることができる。
【０１３５】
ステップＳ５２では、上記ステップＳ５１で検出した輝度及び色度を補正する。使用する補正係数は、上記ステップＳ１２０と同様である。予め求められた導光部材２４ａ、２４ｂのスペクトルの減衰特性を補償するように、上記ステップＳ５１で検出された輝度及び色度に補正係数を掛けて補正することにより、受光センサ２６で検出した輝度及び色度を従属ユニット２Ｓ12の発する光の輝度及び色度に略等しく合わせることができる。
【０１３６】
ステップＳ５３では、従属ユニット２Ｓ13の発する光の光特性が上記ステップＳ５２で補正された輝度及び色度と略等しくなるように、従属ユニット２Ｓ13の発する光の輝度及び色度の電力量を算出する。ここで、電力量の算出方法としては、上記ステップＳ２で述べた方法と同様である。
【０１３７】
受信モデム３３がモデム３００からテスト情報またはパターン情報を受信した場合に（ステップＳ５４のＹ）、コントローラ３１は、ステップＳ５５で、テスト情報またはパターン情報に応じた輝度及び色温度になるように、各有機ＥＬ素子１２Ｒ、有機ＥＬ素子１２Ｇ、有機ＥＬ素子１２Ｂにそれぞれ供給する電力量を求め、ステップＳ５３で求めた電力量を補正する。
【０１３８】
ステップＳ５６では、コントローラ３１は、上記ステップＳ５３で求められた電力量またはステップＳ５５で補正された電力量になるように、電力制御回路３０から各有機ＥＬ素子１２Ｒ、有機ＥＬ素子１２Ｇ、有機ＥＬ素子１２Ｂに供給する電力量を調整する。
【０１３９】
以下同様に、本フローチャートは残る従属ユニット２Ｓ14〜２Ｓmnに対しても親機、子機の関係を入れ替えながら行うものである。
【０１４０】
本第１変形例によれば、電源ライン５０に接続された受信モデム３３を用いることによってテスト情報およびパターン情報を各従属ユニットに送信し、前述した実施例と同様な効果を奏することができる。
【０１４１】
（面照明システムの第２変形例）
上記第１実施例の第２変形例について以下に説明する。以上に述べた第１変形例では、基準ユニット２Ｓ11および従属ユニット２Ｓ12〜２Ｓmnの受信モデム３３がモデム３００によって電源ライン５０に送出された情報をそれぞれ受信していた。
【０１４２】
それに対して、本第２変形例では、基準ユニット２Ｓ11の外部に設置され、入力インタフェース４０１（通信手段）に接続されたモデム４００が外部制御端末４０から情報を受信し、コントローラ３１が、当該情報に応じて電力制御回路３０を制御して有機ＥＬ素子１２が当該情報に応じた光が放射し、当該光を従属ユニット２Ｓ12〜２Ｓmnの受光センサ２６（通信手段）が受光することによって、当該情報を従属ユニット２Ｓ12〜２Ｓmnに伝達する。
【０１４３】
図２０は、第２変形例の基準ユニットの構成例を示すブロック図である。図２０に示すように、第２変形例の基準ユニット２Ｓ11は、図１５に示す第１変形例の基準ユニット２Ｓ11における受信モデム３３に代えて、操作部３４になされた操作を示す情報およびモデム４００が外部制御端末４０から受信した情報を入力する入力インタフェース４０１を含む。第２変形例の基準ユニット２Ｓ11において、図１５に示す基準ユニット２Ｓ11における構成と同様な要素には同じ符号を付して説明を省略する。
【０１４４】
図２１は、第２変形例の従属ユニットの構成例を示すブロック図である。図２１に示すように、各従属ユニット２Ｓ12〜２Ｓmnは、受光センサ２６、メモリ３６、コントローラ３８、電力制御回路３０、複数の有機ＥＬ素子１２Ｒ、有機ＥＬ素子１２Ｇ、有機ＥＬ素子１２Ｂ、および受信モデム３３を有している。本実施例では、基準ユニットと従属ユニットとの構成を一部共通化しているため、従属ユニット２Ｓ12〜２Ｓmnも操作部３４および入力インタフェース４０１を有しているが、従属ユニットとして作動する場合にはこれらの機能を使用しないものとする。同様に、図２０には、基準ユニット２Ｓ11が受光センサ２６を有していることが示されているが、基準ユニットとして作動する場合にはこの機能を使用しないものとする。
【０１４５】
図２２は、第２変形例における基準ユニット２Ｓ11と従属ユニット２Ｓ12との接続例を示すブロック図である。図２２に示し、前述したように、外部制御端末４０から情報を受信したモデム４００が入力インタフェース４０１に情報を入力し、コントローラ３１が、入力インタフェース４０１に入力された当該情報に応じて電力制御回路３０を制御して有機ＥＬ素子１２から当該情報に応じた光が放射されることによって、導光部材２４ａ，２４ｂを介して当該情報を従属ユニット２Ｓ12〜２Ｓmnに伝達する。
【０１４６】
図２３は、基準ユニット２Ｓ11がパターン情報を送信または受信したとき、および各従属ユニット２Ｓ12〜２Ｓmnがパターン情報を送信または受信したときに、基準ユニット２Ｓ11および各従属ユニット２Ｓ12〜２Ｓmnにおいて行われる点灯表示の例を示すタイミングチャートである。図２３に示す例では、パターン情報を送信または受信すると、基準ユニット２Ｓ11および各従属ユニット２Ｓ12〜２Ｓmnは、一旦消灯状態となった後に点灯状態となる。そして、基準ユニット２Ｓ11および各従属ユニット２Ｓ12〜２Ｓmnは、パターン情報が示すシリアル番号の下数桁を点灯表示する。そして、パターン情報の内容に応じた点灯表示を行う。具体的には、例えば、パターン情報が示すシリアル番号の下数桁に合致するシリアル番号の従属ユニットに対して、親機となる面照明装置が発する光の光特性に対して所定の関係となることを指示する点灯表示を行う。なお、これらの点灯表示は所定の周期で繰り返し行われてもよい。また、シリアル番号の下数桁が点灯表示される場合に限られず、シリアル番号の全てが点灯表示されてもよい。
【０１４７】
各従属ユニット２Ｓ12〜２Ｓmnのコントローラ３８は、自身のシリアル番号の下数桁がパターン情報が示すシリアル番号の下数桁に合致した場合に、パターン情報の内容に応じて、親機となる面照明装置が発する光の光特性と、自身の有機ＥＬ素子が発する光の光特性との関係が所定の関係になるように、電力制御回路３０を制御する。具体的には、例えば、自身の有機ＥＬ素子が発する光の光特性が、親機となる面照明装置が発する光の光特性に対して、輝度や色度が一定の比や差になるように調整したりする。
【０１４８】
なお、コントローラ３８に時刻を示す時刻情報を提供する計時手段が接続され、コントローラ３８は、自身の有機ＥＬ素子が発する光の光特性の、親機となる面照明装置が発する光の光特性に対する輝度や色度の比や差が、当該計時手段によって提供された時刻情報が示す時刻に応じて異なるように調整されてもよい。具体的には、例えば、計時手段によって提供された時刻情報が示す時刻が深夜の時間帯（例えば、午後１０時〜午前５時）を示している場合には、自身の有機ＥＬ素子が発する光の輝度が他の時間帯よりも低いように、自身の有機ＥＬ素子が発する光の光特性の、親機となる面照明装置が発する光の光特性に対する輝度や色度の比や差が調整されていてもよい。
【０１４９】
また、コントローラ３８に周囲の照度を示す照度情報を提供する照度測定手段（照度センサ）が接続され、コントローラ３８は、自身の有機ＥＬ素子が発する光の光特性の、親機となる面照明装置が発する光の光特性に対する輝度や光量、色度の比や差が、当該照度測定手段によって提供された照度情報が示す照度に応じて異なるように調整されてもよい。具体的には、例えば、照度測定手段によって提供された照度情報が示す照度が所定の照度以上である場合には、自身の有機ＥＬ素子が発する光の輝度や光量が低くなるように、自身の有機ＥＬ素子が発する光の光特性の、親機となる面照明装置が発する光の光特性に対する輝度や光量の比や差が調整されていてもよい。
【０１５０】
なお、以上に述べたパターン情報に基づく従属ユニットの動作は、前述した各実施例および変形例においても適用可能である。つまり、前述した各実施例のように、パターン情報が電源ライン５０を介して送受信されるように構成されている場合であっても、各従属ユニット２Ｓ12〜２Ｓmnのコントローラ３８は、パターン情報の内容に応じて、親機となる面照明装置が発する光の光特性と、自身の有機ＥＬ素子が発する光の光特性との関係が所定の関係になるように、電力制御回路３０を制御することが可能であり、より具体的には、パターン情報の内容に応じて、時刻や周囲の照度に基づいて自身の有機ＥＬ素子が発する光の光特性を調整することが可能である。
【０１５１】
このように構成された本発明の第２変形例に係る面照明システム１の制御について、図２４から説明する。図２４は、第２変形例の基準ユニット２Ｓ11の発光制御を示すフローチャートである。コントローラ３１は、図２４のフローチャートに従い基準ユニット２Ｓ11の発光制御を実行する。
【０１５２】
（基準ユニットの輝度及び色温度調整）
ステップＳ６１では、ユーザが操作部３４から設定した基準ユニット２Ｓ11における輝度及び色温度を読み込む。ここで設定される輝度は、例えば有機ＥＬ素子１２が非点灯となる輝度〜最大輝度までの間から連続的に、或いは段階的に設定されてもよい。同様に、色温度は、例えば電球色から昼光色までの間で連続的或いは段階的に設定されてもよい。
【０１５３】
ステップＳ６２では、上記ステップＳ６１で設定された輝度及び色温度になるように、各有機ＥＬ素子１２Ｒ、有機ＥＬ素子１２Ｇ、有機ＥＬ素子１２Ｂにそれぞれ供給する電力量を求める。ここで、輝度に対する電力量は、例えばメモリ３６に記憶されたマップから、輝度及び色温度に対する電力量を求めるようにしてもよい。
【０１５４】
入力インタフェース４０１がモデム４００を介して外部制御端末４０からテスト情報またはパターン情報を受信した場合に（ステップＳ６３のＹ）、コントローラ３１は、ステップＳ６４で、入力インタフェース４０１がモデム４００を介して外部制御端末４０から受信したテスト情報またはパターン情報に応じた光を発するように、各有機ＥＬ素子１２Ｒ、有機ＥＬ素子１２Ｇ、有機ＥＬ素子１２Ｂにそれぞれ供給する電力量を求め、ステップＳ６２で求めた電力量を補正する。
【０１５５】
ステップＳ６５では、コントローラ３１は、上記ステップＳ６２で求められた電力量またはステップＳ６４で補正された電力量になるように、電力制御回路３０から各有機ＥＬ素子１２Ｒ、有機ＥＬ素子１２Ｇ、有機ＥＬ素子１２Ｂに供給する電力量を調整する。すると、入力インタフェース４０１がモデム４００を介して外部制御端末４０から受信したテスト情報またはパターン情報に応じた光の一部が、基準ユニット２Ｓ11の導光部材２４ａを介して隣接する従属ユニットに向けて放射される。
【０１５６】
（基準ユニットに基づく従属ユニットの輝度及び色度調整）
図２５は、親機である基準ユニット２Ｓ11に隣接する子機となる従属ユニット２Ｓ12の発光制御を示すフローチャートである（発光制御ステップ）。従属ユニットのコントローラ３８は、図２５のフローチャートに従い、従属ユニットの発光制御を実行する。詳しくは、図５に示したように、基準ユニット２Ｓ11の輝度及び色温度に基づいて、隣接する従属ユニット２Ｓ12（第１従属ユニット）の輝度及び色温度を制御するフローチャートであり、以下に説明する。
【０１５７】
ステップＳ７１では、隣接する基準ユニット２Ｓ11の発する光の一部が導光部材２４ａ、２４ｂを介して従属ユニット２Ｓ12の受光センサ２６に入射することにより、基準ユニット２Ｓ11の発する光の輝度及び色度を検出する。
【０１５８】
ステップＳ７２では、メモリに記憶した補正係数を用い、上記ステップＳ７１で検出した輝度及び色度を補正する。使用する補正係数は、例えば導光部材２４ａ、２４ｂの有するスペクトルの減衰特性から求められる。導光部材２４ａ、２４ｂの有する光透過性は透過率が必ずしも１００％ではないため、基準ユニット２Ｓ11の発する光の一部が導光部材２４ａ、２４ｂを通過することで、基準ユニット２Ｓ11の発する光の光特性よりも受光センサ２６で検出した光特性、つまり輝度及び色度が異なる可能性がある。従って、導光部材２４ａ、２４ｂのスペクトルの減衰特性に基づく輝度及び色度の補正係数をそれぞれ予め求めてメモリ３６に記憶しておき、当該ステップＳ７２で当該減衰特性を補償するように、上記ステップＳ７１で検出した輝度及び色度に補正係数を掛けて補正することにより、受光センサ２６で検出した輝度及び色度を基準ユニット２Ｓ11の発する実際の光の輝度及び色度に略等しく合わせることができる。
【０１５９】
ステップＳ７３では、従属ユニット２Ｓ12の発する光の輝度及び色度が、上記ステップＳ７２で補正した輝度及び色度と略等しくなるように電力量を算出する。ここで、電力量を算出する方法としては、上記ステップＳ２で述べた方法と同様である。
【０１６０】
入力インタフェース４０１がモデム４００を介して外部制御端末４０からテスト情報またはパターン情報を受信した場合に（ステップＳ７４のＹ）、コントローラ３８は、ステップＳ７５で、入力インタフェース４０１がモデム４００を介して外部制御端末４０から受信したテスト情報またはパターン情報に応じた光を発するように、各有機ＥＬ素子１２Ｒ、有機ＥＬ素子１２Ｇ、有機ＥＬ素子１２Ｂにそれぞれ供給する電力量を求め、ステップＳ７３で求めた電力量を補正する。
【０１６１】
ステップＳ７６では、コントローラ３８は、上記ステップＳ７３で求められた電力量またはステップＳ７５で補正された電力量になるように、電力制御回路３０から各有機ＥＬ素子１２Ｒ、有機ＥＬ素子１２Ｇ、有機ＥＬ素子１２Ｂに供給する電力量を調整する。すると、入力インタフェース４０１がモデム４００を介して外部制御端末４０から受信したテスト情報またはパターン情報に応じた光の一部が、基準ユニット２Ｓ11の導光部材２４ａを介して隣接する従属ユニットに向けて放射される。
【０１６２】
（従属ユニットに基づく従属ユニットの輝度調整）
図２６は、親機となる従属ユニットが発する光に基づいて、子機となる従属ユニットの発する光を制御するフローチャートである（発光制御ステップ）。上述したように、基準ユニット２Ｓ11の発する光に基づいて発する光の光特性が制御された従属ユニット２Ｓ12を親機とし、従属ユニット２Ｓ13を子機として光特性を制御した後、順次親機を切り替えて、各従属ユニットが発する光の光特性が未制御の従属ユニットの光特性を制御するものである。以下の説明は、一例として、従属ユニット２Ｓ12（第１従属ユニット、親機）に基づいて、従属ユニット２Ｓ12に隣接する従属ユニット２Ｓ13（第２従属ユニット、子機）を制御するものである。
【０１６３】
ステップＳ８１では、隣接する従属ユニット２Ｓ12の発する光の一部が導光部材２４ａ、２４ｂを介して従属ユニット２Ｓ13の受光センサ２６に入射することにより、従属ユニット２Ｓ12の発する光の輝度及び色度を検出する。このように導光部材２４ａ、２４ｂを使用することにより、上記ステップＳ１１０で述べたことと同様の効果を得ることができる。
【０１６４】
ステップＳ８２では、上記ステップＳ８１で検出した輝度及び色度を補正する。使用する補正係数は、上記ステップＳ１２０と同様である。予め求められた導光部材２４ａ、２４ｂのスペクトルの減衰特性を補償するように、上記ステップＳ８１で検出された輝度及び色度に補正係数を掛けて補正することにより、受光センサ２６で検出した輝度及び色度を従属ユニット２Ｓ12の発する光の輝度及び色度に略等しく合わせることができる。
【０１６５】
ステップＳ８３では、従属ユニット２Ｓ13の発する光の光特性が上記ステップＳ８２で補正された輝度及び色度と略等しくなるように、従属ユニット２Ｓ13の発する光の輝度及び色度の電力量を算出する。ここで、電力量の算出方法としては、上記ステップＳ２で述べた方法と同様である。
【０１６６】
入力インタフェース４０１がモデム４００を介して外部制御端末４０からテスト情報またはパターン情報を受信した場合に（ステップＳ８４のＹ）、コントローラ３８は、ステップＳ８５で、入力インタフェース４０１がモデム４００を介して外部制御端末４０から受信したテスト情報またはパターン情報に応じた光を発するように、各有機ＥＬ素子１２Ｒ、有機ＥＬ素子１２Ｇ、有機ＥＬ素子１２Ｂにそれぞれ供給する電力量を求め、ステップＳ８３で求めた電力量を補正する。
【０１６７】
ステップＳ８６では、コントローラ３８は、上記ステップＳ８３で求められた電力量またはステップＳ８５で補正された電力量になるように、電力制御回路３０から各有機ＥＬ素子１２Ｒ、有機ＥＬ素子１２Ｇ、有機ＥＬ素子１２Ｂに供給する電力量を調整する。すると、入力インタフェース４０１がモデム４００を介して外部制御端末４０から受信したテスト情報またはパターン情報に応じた光の一部が、基準ユニット２Ｓ11の導光部材２４ａを介して隣接する従属ユニットに向けて放射される。
【０１６８】
以下同様に、本フローチャートは残る従属ユニット２Ｓ14〜２Ｓmnに対しても親機、子機の関係を入れ替えながら行うものである。
【０１６９】
本第２変形例によれば、モデム４００を用いることによってテスト情報およびパターン情報を各従属ユニットに送信し、前述した実施例および第１変形例と同様な効果を奏することができる。
【０１７０】
（面照明システムの第３変形例）
さらに、上記第１実施例の第３変形例について以下に説明する。以上に述べた各例では、外部制御端末４０が送信した情報は、電源ライン５０や基準ユニット２Ｓ11を介して従属ユニット２Ｓ12〜２Ｓmnに伝達されていた。
【０１７１】
それに対して第３変形例では、外部制御端末４０が送信した情報は、基準ユニット２Ｓ11および従属ユニット２Ｓ12〜２Ｓmnに直接に入力される。
【０１７２】
図２７は、第３変形例の基準ユニットと従属ユニットとの構成例を示すブロック図である。図２７に示すように、第３変形例の基準ユニット２Ｓ11と従属ユニット２Ｓ12〜２Ｓmnとは、図６に示す基準ユニット２Ｓ11における送信モデム３２や、図７に示す従属ユニット２Ｓ12における受信モデム３３を有していなくてもよい。第３変形例の基準ユニット２Ｓ11と従属ユニット２Ｓ12〜２Ｓmnとのその他の構成は、図６に示す基準ユニット２Ｓ11における構成と同様なため、各要素に同じ符号を付して説明を省略する。
【０１７３】
図２８は、第３変形例における基準ユニット２Ｓ11と従属ユニット２Ｓ12との接続例を示すブロック図である。図２８に示し、前述したように、基準ユニット２Ｓ11と従属ユニット２Ｓ12とには、外部制御端末４０からそれぞれの赤外線センサ３５（通信手段）に直接に情報が入力される。
【０１７４】
図２８に示すように、基準ユニット２Ｓ11の赤外線センサ３５は、外部制御端末４０から送信された情報を受信すると、電気信号に変換してコントローラ３１に入力する。そして、コントローラ３１は、入力された情報に応じた処理を実行する。また、従属ユニット２Ｓ12の赤外線センサ３５は、外部制御端末４０から送信された情報を受信すると、電気信号に変換してコントローラ３１に入力する。そして、コントローラ３１は、入力された情報に応じた処理や、受光センサ２６が受光した光に応じた処理を実行する。
【０１７５】
このように構成された本発明の第３変形例に係る面照明システム１の制御について、図２９から説明する。図２９は、基準ユニット２Ｓ11の発光制御を示すフローチャートである。コントローラ３１は、図２９のフローチャートに従い基準ユニット２Ｓ11の発光制御を実行する。
【０１７６】
（基準ユニットの輝度及び色温度調整）
ステップＳ９１では、ユーザが操作部３４から設定した基準ユニット２Ｓ11における輝度及び色温度を読み込む。ここで設定される輝度は、例えば有機ＥＬ素子１２が非点灯となる輝度〜最大輝度までの間から連続的に、或いは段階的に設定されてもよい。同様に、色温度は、例えば電球色から昼光色までの間で連続的或いは段階的に設定されてもよい。
【０１７７】
ステップＳ９２では、上記ステップＳ１で設定された輝度及び色温度になるように、各有機ＥＬ素子１２Ｒ、有機ＥＬ素子１２Ｇ、有機ＥＬ素子１２Ｂにそれぞれ供給する電力量を求める。ここで、輝度に対する電力量は、例えばメモリ３６に記憶されたマップから、輝度及び色温度に対する電力量を求めるようにしてもよい。
【０１７８】
赤外線センサ３５が外部制御端末４０からテスト情報またはパターン情報を受信した場合に（ステップＳ９３のＹ）、コントローラ３１は、ステップＳ９４で、赤外線センサ３５が外部制御端末４０から受信したテスト情報またはパターン情報に応じた輝度及び色温度になるように、各有機ＥＬ素子１２Ｒ、有機ＥＬ素子１２Ｇ、有機ＥＬ素子１２Ｂにそれぞれ供給する電力量を求め、ステップＳ９２で求めた電力量を補正する。
【０１７９】
ステップＳ９５では、コントローラ３１は、上記ステップＳ９２で求められた電力量またはステップＳ９４で補正された電力量になるように、電力制御回路３０から各有機ＥＬ素子１２Ｒ、有機ＥＬ素子１２Ｇ、有機ＥＬ素子１２Ｂに供給する電力量を調整する。
【０１８０】
（基準ユニットに基づく従属ユニットの輝度及び色度調整）
図３０は、親機である基準ユニット２Ｓ11に隣接する子機となる従属ユニット２Ｓ12の発光制御を示すフローチャートである（発光制御ステップ）。従属ユニットのコントローラ３１は、図３０のフローチャートに従い、従属ユニットの発光制御を実行する。詳しくは、図５に示したように、基準ユニット２Ｓ11の輝度及び色温度に基づいて、隣接する従属ユニット２Ｓ12（第１従属ユニット）の輝度及び色温度を制御するフローチャートであり、以下に説明する。
【０１８１】
ステップＳ１０１では、隣接する基準ユニット２Ｓ11の発する光の一部が導光部材２４ａ、２４ｂを介して従属ユニット２Ｓ12の受光センサ２６に入射することにより、基準ユニット２Ｓ11の発する光の輝度及び色度を検出する。
【０１８２】
ステップＳ１０２では、メモリに記憶した補正係数を用い、上記ステップＳ１０１で検出した輝度及び色度を補正する。使用する補正係数は、例えば導光部材２４ａ、２４ｂの有するスペクトルの減衰特性から求められる。導光部材２４ａ、２４ｂの有する光透過性は透過率が必ずしも１００％ではないため、基準ユニット２Ｓ11の発する光の一部が導光部材２４ａ、２４ｂを通過することで、基準ユニット２Ｓ11の発する光の光特性よりも受光センサ２６で検出した光特性、つまり輝度及び色度が異なる可能性がある。従って、導光部材２４ａ、２４ｂのスペクトルの減衰特性に基づく輝度及び色度の補正係数をそれぞれ予め求めてメモリ３６に記憶しておき、当該ステップＳ１０２で当該減衰特性を補償するように、上記ステップＳ１０１で検出した輝度及び色度に補正係数を掛けて補正することにより、受光センサ２６で検出した輝度及び色度を基準ユニット２Ｓ11の発する実際の光の輝度及び色度に略等しく合わせることができる。
【０１８３】
ステップＳ１０３では、従属ユニット２Ｓ12の発する光の輝度及び色度が、上記ステップＳ１０２で補正した輝度及び色度と略等しくなるように電力量を算出する。ここで、電力量を算出する方法としては、上記ステップＳ２で述べた方法と同様である。
【０１８４】
赤外線センサ３５が外部制御端末４０からテスト情報またはパターン情報を受信した場合に（ステップＳ１０４のＹ）、コントローラ３１は、ステップＳ１０５で、赤外線センサ３５が外部制御端末４０から受信したテスト情報またはパターン情報に応じた輝度及び色温度になるように、各有機ＥＬ素子１２Ｒ、有機ＥＬ素子１２Ｇ、有機ＥＬ素子１２Ｂにそれぞれ供給する電力量を求め、ステップＳ１０３で求めた電力量を補正する。
【０１８５】
ステップＳ１０６では、コントローラ３１は、上記ステップＳ１０３で求められた電力量またはステップＳ１０５で補正された電力量になるように、電力制御回路３０から各有機ＥＬ素子１２Ｒ、有機ＥＬ素子１２Ｇ、有機ＥＬ素子１２Ｂに供給する電力量を調整する。
【０１８６】
（従属ユニットに基づく従属ユニットの輝度調整）
図３１は、親機となる従属ユニットが発する光に基づいて、子機となる従属ユニットの発する光を制御するフローチャートである（発光制御ステップ）。上述したように、基準ユニット２Ｓ11の発する光に基づいて発する光の光特性が制御された従属ユニット２Ｓ12を親機とし、従属ユニット２Ｓ13を子機として光特性を制御した後、順次親機を切り替えて、各従属ユニットが発する光の光特性が未制御の従属ユニットの光特性を制御するものである。以下の説明は、一例として、従属ユニット２Ｓ12（第１従属ユニット、親機）に基づいて、従属ユニット２Ｓ12に隣接する従属ユニット２Ｓ13（第２従属ユニット、子機）を制御するものである。
【０１８７】
ステップＳ１１１では、隣接する従属ユニット２Ｓ12の発する光の一部が導光部材２４ａ、２４ｂを介して従属ユニット２Ｓ13の受光センサ２６に入射することにより、従属ユニット２Ｓ12の発する光の輝度及び色度を検出する。このように導光部材２４ａ、２４ｂを使用することにより、上記ステップＳ１１０で述べたことと同様の効果を得ることができる。
【０１８８】
ステップＳ１１２では、上記ステップＳ１１１で検出した輝度及び色度を補正する。使用する補正係数は、上記ステップＳ１２０と同様である。予め求められた導光部材２４ａ、２４ｂのスペクトルの減衰特性を補償するように、上記ステップＳ１１１で検出された輝度及び色度に補正係数を掛けて補正することにより、受光センサ２６で検出した輝度及び色度を従属ユニット２Ｓ12の発する光の輝度及び色度に略等しく合わせることができる。
【０１８９】
ステップＳ１１３では、従属ユニット２Ｓ13の発する光の光特性が上記ステップＳ１１２で補正された輝度及び色度と略等しくなるように、従属ユニット２Ｓ13の発する光の輝度及び色度の電力量を算出する。ここで、電力量の算出方法としては、上記ステップＳ２で述べた方法と同様である。
【０１９０】
赤外線センサ３５が外部制御端末４０からテスト情報またはパターン情報を受信した場合に（ステップＳ１１４のＹ）、コントローラ３１は、ステップＳ１１５で、赤外線センサ３５が外部制御端末４０から受信したテスト情報またはパターン情報に応じた輝度及び色温度になるように、各有機ＥＬ素子１２Ｒ、有機ＥＬ素子１２Ｇ、有機ＥＬ素子１２Ｂにそれぞれ供給する電力量を求め、ステップＳ１１３で求めた電力量を補正する。
【０１９１】
ステップＳ１１６では、コントローラ３１は、上記ステップＳ１１３で求められた電力量またはステップＳ１１５で補正された電力量になるように、電力制御回路３０から各有機ＥＬ素子１２Ｒ、有機ＥＬ素子１２Ｇ、有機ＥＬ素子１２Ｂに供給する電力量を調整する。
【０１９２】
以下同様に、本フローチャートは残る従属ユニット２Ｓ14〜２Ｓmnに対しても親機、子機の関係を入れ替えながら行うものである。
【０１９３】
本第３変形例によれば、外部制御端末４０が基準ユニット２Ｓ11および従属ユニット２Ｓ12〜２Ｓmnの赤外線センサ３５に直接にテスト情報およびパターン情報を送信することによって、前述した実施例および各変形例と同様な効果を奏することができる。
【０１９４】
（面照明システムの第４変形例）
さらに、上記第１実施例の第４変形例について以下に説明する。この変形例では、各面照明装置２に設けられる導光部材２４及び受光センサ２６を増設したものである。詳しくは、図３２に面照明装置２の発光面４から見た面照明システム１の平面図を示す。
【０１９５】
前述した親機と子機との組み合わせとは、図３２中に示す矢印に従って順次行われる。従って、図３２に示すように、面照明装置２の境界に示したそれぞれの矢印の位置において、隣接するそれぞれの面照明装置２の側面部６に対向する位置に穿設された貫通孔８には導光部材２４ａ、２４ｂが嵌め込まれており、導光部材２４ｂが嵌め込まれる貫通孔８には受光センサ２６が配置され、矢印の順番に従って各面照明装置２の発する光の光特性が制御されていく。
【０１９６】
ここで、図３２に示すように、基準ユニット２Ｓ11とし、従属ユニットを２Ｓ12〜２Ｓmnとすると、基準ユニット２Ｓ11の発する光の一部がそれぞれ導光部材２４ａ、２４ｂを介して基準ユニット２Ｓ11に隣接する従属ユニット２Ｓ12（第１従属ユニット）、２Ｓ21（第１従属ユニット）に配置されている受光センサ２６に入射する。受光センサ２６が検出した光の輝度及び色度と略等しくなるように、従属ユニット２Ｓ12、２Ｓ21は上述したステップＳ１１０〜Ｓ１４０に従って制御される。次に、従属ユニット２Ｓ12の発する光の一部が導光部材２４ａ、２４ｂを介して隣接する従属ユニット２Ｓ13（第２従属ユニット）、２Ｓ22（第２従属ユニット）の受光センサ２６にそれぞれ入射し、従属ユニット２Ｓ13、２Ｓ22は上述したステップＳ２０１〜Ｓ２０４に従って制御される。このように、従属ユニット２Ｓ12〜２Ｓmnの輝度及び色度が図３２中の矢印に従って順次制御される。このような構成にすることにより、隣接する２台の面照明装置２に光の一部をそれぞれに伝達することができるので、より迅速に各面照明装置２の輝度及び色度の制御を行うことができる。
【０１９７】
（発光制御の変形例）
上記第１実施例の他の変形例について以下に説明する。この変形例では、面照明システム１の輝度を、面照明装置２の横の並び毎に段階的に異なるように調整するものである。この場合、色温度については第１実施例と同じく同一に調整されるものとする。このような調整の一例として、図５に示した面照明システム１の模式図に示す面照明装置２において、基準ユニット２Ｓ11〜従属ユニット２Ｓ1nの並びを行と定義し、行毎に輝度が異なるように調整する。このような調整の概要を以下に説明する。
【０１９８】
まず、基準ユニット２Ｓ11〜従属ユニット２Ｓ1nの行では、基準ユニット２Ｓ11の発する光の輝度と略等しくなるように各従属ユニット２Ｓ12〜２Ｓ1nの発する光の輝度を制御する。次に、基準ユニット２Ｓ11〜従属ユニット２Ｓ1nに隣接する従属ユニット２Ｓ21〜従属ユニット２Ｓ2nの行は、基準ユニット２Ｓ11に対して所定の比率ｒだけ輝度を上げるように、従属ユニット２Ｓ21〜従属ユニット２Ｓ2nの発する光の輝度を制御する。さらに、従属ユニット２Ｓ21〜従属ユニット２Ｓ2nに隣接する従属ユニット２Ｓ31〜従属ユニット２Ｓ3nの行は、従属ユニット２Ｓ21〜従属ユニット２Ｓ2nの発する光の輝度に対して所定の比率ｒだけ輝度を上げるように、従属ユニット２Ｓ31〜従属ユニット２Ｓ3nの発する光を制御する。
【０１９９】
上述した所定の比率は、例えば輝度が調整される最初の各面照明装置２に備えられているメモリ３６に予め設定されており、これに基づいて各面照明装置２の輝度を制御する。このとき、例えば図５に示す流れで面照明装置２の光を伝達する場合、１つの行からもう１つの行へ移行する際に子機となる従属ユニットには、それぞれ所定の比率ｒがメモリ３６に設定されており、これらを除く他の従属ユニットには比率として１がメモリ３６に設定されている。詳しくは、図３３に基準ユニット２Ｓ11に基づいて、隣接する従属ユニット２Ｓ12の制御を示すフローチャート、及び図３４に従属ユニット２Ｓ1nに基づいて隣接する従属ユニット２Ｓ2nの制御を示すフローチャートを示す。
【０２００】
図３３に示すように、ステップＳ１２１では、予め設定された比率ｒを使用して、上記ステップＳ１２で補正した輝度をさらに補正する。基準ユニット２Ｓ11に隣接する従属ユニット２Ｓ12の比率は１で設定されているので、求められた輝度はステップＳ１２で補正した輝度と同じになる。
【０２０１】
なお、同じ行における隣接する従属ユニットは、子機となる従属ユニットの比率は１で設定されており、例えば従属ユニット２Ｓ12を親機とし、従属ユニット２Ｓ13が子機となる場合には、従属ユニット２Ｓ13で求められた光の輝度は、親機である従属ユニット２Ｓ12の輝度と等しくなる。
【０２０２】
次に、従属ユニット２Ｓ1nでは、図３４のフローチャートに従い説明する。図３４に示すように、ステップＳ２２１では、予め設定された比率ｒを使用して、上記ステップＳ２２で補正した輝度をさらに補正する。従属ユニット２Ｓ1nに隣接する従属ユニット２Ｓ2nに設定されている比率ｒは、従属ユニット２Ｓ1nから輝度が高くなるような所定の比率であり、求められた電力量はステップＳ２２で補正した電力量から所定の比率ｒ高くなる。このように輝度を制御することにより、図３５に示すように、各面照明装置２の輝度が段階的に変化するように調整される。
【０２０３】
このように、面照明装置２の並びに従って、１つの行からもう１つの行に移行する際に子機となる従属ユニットのメモリ３６に所定の比率ｒを予め設定しておくことにより、面照明システム１の輝度を段階的に高くしていくことができ、装飾やリラックス効果等を目的として面照明システム１を使用する場合に特に有効である。また、室内での明るさが場所によって異なる場合に、輝度を調整して見た目の明るさを室内のどの場所でも略等しくなるように調整することも可能である。
【０２０４】
なお、上述した他の変形例では所定の比率ｒで面照明装置２の輝度を補正するようにしたが、これに限られず、所定差ｄで面照明装置２の輝度を補正するようにしてもよい。この場合は、上述したステップＳ１２１及びステップＳ２２１では所定差ｄを加算または減算して調整量を補正する。また、各従属ユニットに設定されている比率ｒは全て同じ値である必要はなく、必要に応じて適宜変更してもよい。
【０２０５】
さらに、面照明システム１を構成する面照明装置２は、例えば面照明システム１の外側に配置された面照明装置２の輝度を暗くし、内側になるに従って段階的に明るくなるように輝度を調整してもよい。
【０２０６】
さらに他の変形例として、面照明システム１として所定の点灯パターンとなるように、各面照明装置２は設定された点灯パターンに従って有機ＥＬ素子１２Ｒ、１２Ｇ、１２Ｂの各素子を点灯／非点灯とするようにしてもよい。この場合、設定される点灯パターンに応じて点灯／非点灯を予めメモリ３６に記憶していてもよい。このようにすれば、面照明システム１を装飾として利用する場合に有効である。なお、点灯させる面照明装置２の輝度は、基準ユニット２Ｓ11と略等しくなるように制御されるようにしてもよい。
【０２０７】
また、親機となる面照明装置２が発する光の光特性と、当該親機となる面照明装置２に対して子機となる面照明装置２が発する光の光特性との関係が所定の関係となるように制御してもよい。例えば、面照明システム１の有する複数の面照明装置２が所定のパターンで点灯／非点灯となるように、親機となる面照明装置２の点灯状態に応じて、当該親機に対して子機となる面照明装置２の点灯状態を制御するようにしてもよい。
【０２０８】
また、面照明システム１の有する各面照明装置２の輝度が所定のパターンで変化するように、親機となる面照明装置２が発する光の輝度に応じて、当該親機に対して子機となる面照明装置２が発する光の輝度を制御してもよい。さらに、面照明システム１の有する複数の面照明装置２が所定の色パターンで変化するように、親機となる面照明装置２が発する光の発光色に応じて、当該親機に対して子機となる従属ユニットが発する光の発光色を制御するようにしてもよい。
【０２０９】
＜第２実施例＞
次に、第２実施例に係る面照明システム１について以下に説明する。本実施例に係る面照明システム１０１では、第１実施例に対して、導光部材２４ａ、２４ｂに加えて光透過性のある弾性部材を使用した点が異なり、その他の構成は共通している。従って、共通箇所の説明は省略し、相違点について説明する。
【０２１０】
（面照明装置間の構成）
図３６に、本発明の第２実施例に係る面照明システム１０１における、図２のVI−VI線に沿う断面図を示す。親機となる面照明装置２０１ａの貫通孔８には導光部材２４ａが嵌め込まれている。面照明装置２０１ｂの貫通孔８には導光部材２４ｂが嵌め込まれており、面照明装置２０１ａの導光部材２４ａが放射した光を導いて受光センサ２６に入射させる。面照明装置２０１ａ、２０１ｂの側面部６間には、光透過性のある２つの弾性部材（光伝達手段）２４ｃ、２４ｃが挟持されており、面照明装置２０１ａの導光部材２４ａから放射された面照明装置２０１ａの発する光の一部を、これら弾性部材２４ｃを介して面照明装置２０１ｂの導光部材２４ｂに導くようにしている。
【０２１１】
（弾性部材）
本実施例において、弾性部材２４ｃは、透明な材料で形成され、２つ重ね合わせた状態で、それぞれ対応する側面部６に圧接するような厚さを有している。本実施例では、面照明装置２０１ａ、２０１ｂの側面部６間には２つの弾性部材２４ｃが挟持されているが、これに限られず、面照明装置２０１ａ、面照明装置２０１ｂ間を圧接するような厚さの１つの弾性部材２４ｃで挟持するようにしてもよい。
【０２１２】
弾性部材２４ｃとして、例えば、シリコンラバー等の樹脂部材や、ポリエチレン等の高分子材料から形成されてもよい。このように形成された弾性部材２４ａは、ヤング率が１ＧＰａ以下であり、３ｍｍの厚さである場合に波長５８９．３ｎｍの光に対する透過率が５０％以上であるのが好ましく、より好ましくは７０％以上であり、さらに屈折率が１．３以上という特性を有する材料であるのが好ましい。
【０２１３】
このように、本実施例では、面照明装置２０１ａ、面照明装置２０１ｂの側面部６間に弾性部材２４ｃを挟持することにより、面照明装置２０１間の光の伝達を確実に行うと共に、面照明装置２０１間の密着性を向上させることができるので、第１実施例と同様の効果が得られると共に、面照明システム１０１の構造的な安定性を向上させることができる。
【０２１４】
＜第３実施例＞
次に、第３実施例に係る面照明システム１０２について以下に説明する。本実施例に係る面照明システム１０２では、第１実施例に対して、貫通孔８、導光部材２４ａ、２４ｂの代わりに面照明装置２０２の発光面４側に連結部材を配置した点、及び受光センサ２６周りの構造が異なり、その他の構成は共通している。従って、共通箇所の説明は省略し、相違点について説明する。
【０２１５】
図３７に、本発明の第３実施例に係る面照明システム１０２の概略構成を示す。親機と子機の関係を持って組み合わされる２つの面照明装置２０２間には、後述するように、枠部材１８を橋架するように発光面４側に連結部材２４ｄが取り付けられている。なお、連結部材２４ｄの形状はこれに限られず、例えば連結部材２４ｄを面照明装置２０２の発光面４側の一辺全体にわたって連結部材２４ｄを設けるようにしてもよい。また、図３７に示す連結部材２４ｄの配置は、図５で示した矢印に示す順序に従うものである。
【０２１６】
図３８に、本発明の第３実施例に係る面照明システム１０２における、図２のVI−VI線に沿う断面図を示す。図３８では、親機となる面照明装置２０２を面照明装置２０２ａとし、子機となる面照明装置２０２を面照明装置２０２ｂとしている。面照明装置２０２ａ、面照明装置２０２ｂの発光面４側には、隣接する面照明装置２０２ａ、面照明装置２０２ｂを連結する連結部材（光伝達手段、光伝達路）２４ｄが取り付けられている。連結部材２４ｄは中空の被覆材３９内に透明な樹脂が充填されて形成されている。連結部材２４ｄの一方の端部２５は面照明装置２０２ａの枠部材１８に対向するように取り付けられて被覆材３９が開口しており、他方の端部２５は面照明装置２０２ｂの枠部材１８に対向するように取り付けられて被覆材３９が開口している。
【０２１７】
（連結部材）
本実施例において、連結部材２４ｄは、被覆材３９の内側が比較的高い反射率を有した材料で形成されている。連結部材２４ｄは、面照明装置２０２ａの反射板２０に対向する位置に傾斜２４ｓが形成され、面照明装置２０２ｂに配置された受光センサ２６と対向する位置に傾斜２４ｔが形成されている。傾斜２４ｓ及び傾斜２４ｔの傾斜角は等しくても異なっていてもよいが、傾斜２４ｓで反射された光が傾斜２４ｔに入射して受光センサ２６に入射する角度である。
【０２１８】
連結部材２４ｄの端部２５が面照明装置２０２の枠部材１８と対向するように取り付けられているので、有機ＥＬ素子１２が発した光の一部が保護板１６から外方へ放射されずに枠部材１８に入射すると、この光が反射板２０で反射され、面照明装置２０２ａ側の開口部２５から傾斜２４ｓに入射する。こうして入射した光は傾斜２４ｓで反射されて傾斜２４ｔに入射し、傾斜２４ｔで反射されて面照明装置２０２ｂの枠部材１８に配置された受光センサ２６に向けて放射される。このような連結部材２４ｄの被覆材３９内の厚さｄは４ｍｍ以上であるのが好ましく、より好ましくは８ｍｍ以上である。
【０２１９】
このように、本実施例では、反射率の高い被覆材３９内に透明な樹脂が充填された連結部材２４ｄを、隣接する面照明装置２０２ａ、面照明装置２０２ｂの発光面４側の枠部材１８に取り付けることにより、面照明装置２０２ａの発する光の一部を、隣接する面照明装置２０２ｂに配置されている受光センサ２６へ効率よく導くことができる。
【０２２０】
また、面照明装置２０２を全て取り付けた後に隣接する面照明装置２０２間に連結部材２４ｄをそれぞれ取り付ければよいので、貫通孔８の穿設及び位置合わせを行う必要がなくなり、作業時間が短縮され、作業効率を向上させることができる。
【０２２１】
なお、連結部材２４ｄは透明な樹脂で充填することなく、中空に形成してもよい。
【０２２２】
（連結部材の変形例）
第３実施例の変形例として、図３９に示すように、連結部材２４ｄの代わりに透明な材料からなる光伝達部材（光伝達手段、光伝達路）２４ｅを使用してもよい。光伝達部材２４ｅの一方の端部２５ａは親機となる面照明装置２０２ａの反射板２０と対向する位置に取り付けられ、他方の端部２５ａは子機となる面照明装置２０２ｂに配置された受光センサ２６に対向する位置に取り付けられている。
【０２２３】
有機ＥＬ素子１２が発した光の一部が保護板１６から外方へ放射されずに枠部材１８に入射すると、この光が反射板２０で反射され、面照明装置２０２ａ側の端部２５ａから光伝達部材２４ｅに入射する。こうして入射した光は光伝達部材２４ｅの内部を通過して照明装置ｂ側の端部２５ａから放射されて、面照明装置２０２ｂに配置された受光センサ２６に向けて放射される。光伝達部材２４ｃは、例えば光ファイバー、アクリル樹脂、塩化ビニル樹脂、ポリカーボネート樹脂、シリコンゴム等であってもよい。また、光伝達部材２４ｃは、３ｍｍの厚さにおいて波長５８９．３ｎｍの光に対する透過率が５０％以上である材料を用いるのが好ましく、より好ましくは７０％以上であり、屈折率が１．３以上であるのが好ましい。
【０２２４】
このように、光伝達部材２４ｃを使用して親機となる面照明装置２０２ａの発する光の一部を隣接する子機の面照明装置２ｂに伝達することにより、上記第３実施例と同様の効果を得ることができる。
【０２２５】
以上で実施形態の説明を終えるが、本発明は上述した実施形態に限定されるものではない。
【０２２６】
例えば、上記第１実施例では貫通孔８に導光部材２４ａ、２４ｂを嵌め込む構成としているが、これに限られるものではなく、導光部材２４ａ、２４ｂを使用せずに貫通孔８だけで親機となる面照明装置２の発する光の一部を子機となる面照明装置２に導くようにしてもよい。また、上記第２実施例では透明な弾性部材２４ｃを用いているが、弾性部材２４ｃの貫通孔８に対応する部分が中空になっている不透明な弾性部材を用いてもよい。
【０２２７】
また、上記各実施例では、隣接する面照明装置のうち、一方の面照明装置の発する光の一部を他方の面照明装置へ導入する機構としているが、隣接していない面照明装置間を光ファイバー等を介して一方の面照明装置の発する光の一部を他方の面照明装置へ導くようにしてもよい。
【０２２８】
また、上記第１実施例では導光部材２４及び受光センサ２６を配置する位置及び数を変更して２通りの発光制御の順番を示したが、これは一例であり、発光制御の順番はこれに限られるものではない。また、上記第３実施例では発光制御の順番に合わせて連結部材２４ｄを配置したが、これは一例であり、全ての面照明装置２間に連結部材２４ｄを配置するようにしてもよい。この場合、上記第１実施例と同様に、発光制御の順番に従って受光センサ２６を配置する。
【０２２９】
さらに、上記第１実施例では面照明装置２Ｓ11を基準ユニットとして選定しているが、基準ユニットは面照明装置の位置や配置によらず任意に選択可能である。
【０２３０】
また、上記各実施例では、発光光源を有機ＥＬ素子１２として説明したが、これに限られず、発光光源をＬＥＤ等の発光素子としてもよい。
【０２３１】
また、上記各実施例では、従属ユニットの数はｍ×ｎ−１台として説明したが、従属ユニットの数は多数の面照明装置を制御する上では多い方が好ましい。しかし、光特性の伝搬による誤差やブレが生じにくいという点では少ない方が好ましい。具体的には、従属ユニットの数は２以上であることが好ましく、３以上であることがさらに好ましく、４以上であることが特に好ましい。一方で、従属ユニットの数は１００以下であることが好ましく、５０以下であることがさらに好ましく、３０以下であることが特に好ましく、１０以下であることが最も好ましい。
【０２３２】
また、上記の各実施例では、情報は電力線通信や、光通信で送信されている。なお、電力線通信では、位相変調方式（ＰＳＫ（Ｐｈａｓｅ−Ｓｈｉｆｔ  Ｋｅｙｉｎｇ）方式）や周波数変調方式（ＦＳＫ（Ｆｒｅｑｕｅｎｃｙ−Ｓｈｉｆｔ  Ｋｅｙｉｎｇ）方式）で電力が情報で変調されて送信されることが好ましい。振幅変調方式（ＡＳＫ（Ａｍｐｌｉｔｕｄｅ−Ｓｈｉｆｔ  Ｋｅｙｉｎｇ）方式）が採用された場合のように強いノイズが放射される恐れが少なく、直交振幅変調方式（ＱＡＭ（Ｑｕａｄｒａｔｕｒｅ  Ａｍｐｌｉｔｕｄｅ  Ｍｏｄｕｌａｔｉｏｎ）方式）よりも回路構成を簡易化することができるからである。なお、周波数変調方式は位相変調方式より扱いが比較的容易であるので、周波数変調方式が採用されることがより好ましい。
【０２３３】
また、光通信では、パルス幅変調方式（ＰＷＭ（Ｐｕｌｓｅ  Ｗｉｄｔｈ  Ｍｏｄｕｌａｔｉｏｎ）方式）や、デジタル信号による三色調光方式で光が情報で変調されて送信されることが好ましい。デジタル信号による三色調光方式とは、有機ＥＬ素子１２Ｒ，１２Ｇ，１２Ｂのそれぞれの発光状態を情報に応じて高光量と低光量とに変化させて変調することによって情報を送信する方式である。アナログ信号による三色調光方式や、振幅変調方式のように信号の強弱レベルの差が大きくなってＡＧＣ（Ａｕｔｏｍａｔｉｃ  Ｇａｉｎ  Ｃｏｎｔｒｏｌ）回路が必要になったりして回路構成が複雑化することがないからである。そして、情報は、各面照明装置に電力供給が開始されてから調光期間中に送信されることが好ましい。
【０２３４】
なお、外部制御端末４０は、認識した各面照明装置の位置等とシリアル番号等と示す情報を通信ネットワークを介して外部のサーバ等に記憶させてもよい。そのように構成された場合には、当該サーバに記憶されている情報に基づいて外部制御端末４０以外の通信装置からも各面照明装置の発光状態を個別に制御することが可能になる。
【符号の説明】
【０２３５】
１、１０１、１０２、１０３  面照明システム
２、２０１、２０２、２０３  面照明装置
８  貫通孔（光伝達手段）
１２  有機ＥＬ素子
２４ａ、２４ｂ  導光部材（光伝達手段）
２４ｃ  弾性部材（光伝達手段）
２４ｄ  連結部材（光伝達手段）
２４ｅ  光伝達部材（光伝達手段）
２６  受光センサ（光検出手段）
２Ｓ11、２０１Ｓ11、２０２Ｓ11、２０３Ｓ11  基準ユニット
２Ｓ12〜２Ｓmn、２０１Ｓ12〜２０１Ｓmn、２０２Ｓ12〜２０２Ｓmn、２０３Ｓ12〜２０３Ｓmn  従属ユニット
２６  受光センサ（通信手段）
３３  受信モデム（通信手段）
３５  赤外線センサ（通信手段）
４０１  入力インタフェース（通信手段）
４５  出力インタフェース（情報送信手段）
５０  電源ライン
【図１】
2014002961.tif 000003
【図２】
2014002961.tif 000004
【図３】
2014002961.tif 000005
【図４】
2014002961.tif 000006
【図５】
2014002961.tif 000007
【図６】
2014002961.tif 000008
【図７】
2014002961.tif 000009
【図８】
2014002961.tif 000010
【図９Ａ】
2014002961.tif 000011
【図９Ｂ】
2014002961.tif 000012
【図９Ｃ】
2014002961.tif 000013
【図１０】
2014002961.tif 000014
【図１１】
2014002961.tif 000015
【図１２】
2014002961.tif 000016
【図１３】
2014002961.tif 000017
【図１４】
2014002961.tif 000018
【図１５】
2014002961.tif 000019
【図１６】
2014002961.tif 000020
【図１７】
2014002961.tif 000021
【図１８】
2014002961.tif 000022
【図１９】
2014002961.tif 000023
【図２０】
2014002961.tif 000024
【図２１】
2014002961.tif 000025
【図２２】
2014002961.tif 000026
【図２３】
2014002961.tif 000027
【図２４】
2014002961.tif 000028
【図２５】
2014002961.tif 000029
【図２６】
2014002961.tif 000030
【図２７】
2014002961.tif 000031
【図２８】
2014002961.tif 000032
【図２９】
2014002961.tif 000033
【図３０】
2014002961.tif 000034
【図３１】
2014002961.tif 000035
【図３２】
2014002961.tif 000036
【図３３】
2014002961.tif 000037
【図３４】
2014002961.tif 000038
【図３６】
2014002961.tif 000039
【図３７】
2014002961.tif 000040
【図３８】
2014002961.tif 000041
【図３９】
2014002961.tif 000042
【図３５】
2014002961.tif 000043